(57)【要約】【課題】利用者が意図しないタイミングで機器の電源ＯＮ／ＯＦＦが生じてしまうことを防ぐ。【解決手段】携帯電話機１００において、自機器に対する電源オフまたは電源オンのイベントを検知するイベント検知部１３１と、イベント検知部１３１がイベントを検知すると、イベントが予めスケジュールされたものか否かに応じて、利用者が身に付けて使用する補聴器２００に、電源オフまたは電源オンの指示を送信するコマンド送信部１３３と、を備える。【選択図】図１
2011259153.tif 000002
【特許請求の範囲】
【請求項１】
対象機器における電源オフまたは電源オンを制御する電気機器において、
自機器に対する電源オフまたは電源オンの指示を検知する指示検知手段と、
上記指示検知手段が上記指示を検知すると、該指示が予めスケジュールされたものか否かに応じて、対象機器に電源オフまたは電源オンの指示を送信する指示送信手段と、を備える電気機器。
【請求項２】
上記指示検知手段は、自機器に対する電源オフを検知し、
上記指示送信手段は、上記指示が予めスケジュールされたものであるとき、上記対象機器に、電源オフの指示を送信する一方で、上記指示が予めスケジュールされたものでないとき、上記対象機器に、電源オフの指示を送信しないことを特徴とする請求項１に記載の電気機器。
【請求項３】
上記指示検知手段は、自機器に対する電源オフを検知し、
上記指示送信手段は、上記指示が予めスケジュールされたものでないとき、上記対象機器に、電源オフの指示を送信する一方で、上記指示が予めスケジュールされたものであるとき、上記対象機器に、電源オフの指示を送信しないことを特徴とする請求項１に記載の電気機器。
【請求項４】
上記指示検知手段は、自機器に対する電源オンを検知し、
上記指示送信手段は、上記指示が予めスケジュールされたものであるとき、上記対象機器に、電源オンの指示を送信する一方で、上記指示が予めスケジュールされたものでないとき、上記対象機器に、電源オンの指示を送信しないことを特徴とする請求項１から３のいずれか１項に記載の電気機器。
【請求項５】
上記指示検知手段は、自機器に対する電源オンを検知し、
上記指示送信手段は、上記指示が予めスケジュールされたものでないとき、上記対象機器に、電源オンの指示を送信する一方で、上記指示が予めスケジュールされたものであるとき、上記対象機器に、電源オンの指示を送信しないことを特徴とする請求項１から３のいずれか１項に記載の電気機器。
【請求項６】
電気機器に供給する電源を制御する電源制御装置において、
上記電気機器の周囲の状況を検知する状況検知手段と、
上記状況検知手段が検知した状況に基づいて他の電気機器が動作開始または停止したことを判断する動作判断手段と、
上記他の電気機器の動作開始または停止が検知された時刻と、予め定められた動作開始予定時刻または動作停止予定時刻とを比較した結果に応じて、上記電気機器に対する電源供給の開始または停止を行う供給制御手段と、を備えることを特徴とする電源制御装置。
【請求項７】
上記電気機器は、上記他の電気機器と通信可能に構成されており、
上記状況検知手段は、上記他の電気機器との通信が確立または切断されたことを検知し、
上記動作判断手段は、上記状況検知手段が上記他の電気機器との通信が確立されたことを検知したとき、上記他の電気機器が動作開始したと判断し、また、上記状況検知手段が上記他の電気機器との通信が切断されたことを検知したとき、上記他の電気機器が動作停止したと判断することを特徴とする請求項６に記載の電源制御装置。
【請求項８】
上記他の電気機器は照明器具であり、
上記状況検知手段は、上記電気機器周辺の明るさを検知するものであり、
上記動作判断手段は、上記状況検知手段が検知した明るさが、所定値をこえれば上記他の電気機器が動作開始したと判断し、また、上記状況検知手段が検知した明るさが所定値以下となれば上記他の電気機器が動作停止したと判断することを特徴とする請求項６に記載の電源制御装置。
【請求項９】
請求項６から８のいずれか１項に記載の電源制御装置と、
上記電気機器としての聴覚補助部と、を備えることを特徴とする補聴器。
【発明の詳細な説明】
【技術分野】
【０００１】
本発明は２つの機器間において、電源ＯＮ／ＯＦＦを連動させる電気機器、電源制御装置、補聴器に関する。
【背景技術】
【０００２】
従来、２つの電子機器間で、一方の電子機器の電源を投入すると、これに連動して他方の電子機器の電源が投入される技術が知られている。
【０００３】
例えば、特許文献１には、サーバ装置の電源を投入すると、これに連動して、サーバ装置とＵＳＢ接続された外付けハードディスクの電源が投入される技術が開示されている。
【先行技術文献】
【特許文献】
【０００４】
【特許文献１】特開２００７−７２６００号公報（２００７年３月２２日公開）
【発明の概要】
【発明が解決しようとする課題】
【０００５】
しかしながら、２つの電子機器間の電源ＯＮ／ＯＦＦを連動させることが、ある場合には都合がよくても、常に連動させると、意図せず電源がＯＮ／ＯＦＦとなり、かえって使い勝手が悪くなることがある。
【０００６】
例えば、利用者が絶えず身に着けて使用するような機器は、他の機器の使用が終了しても、まだ使用する場合がある。よって、このような場合、身に着けて使用する機器に、他の機器の電源ＯＮ／ＯＦＦを連動させると、意図せずして当該身に着けて使用する機器の電源がＯＦＦになるという不都合を生じる場合がある。
【０００７】
より具体的には、当該身に着けて使用する機器が補聴器であり、他の機器が携帯電話機の場合、このような不都合を生じる可能性がある。携帯電話機の電源ＯＦＦに補聴器の電源ＯＦＦを連動させる場合、就寝時には、携帯電話機および補聴器の電源をともにＯＦＦにしておくことが想定されるので好都合である。しかし、携帯電話機は病院などの施設内では手動で電源ＯＦＦにするが、そのときに補聴器まで電源ＯＦＦにすると普通の会話に支障が出てしまう。
【０００８】
本発明は、上記の問題点に鑑みてなされたものであり、その目的は、利用者が使用する電気機器について、一方の電気機器のＯＮ／ＯＦＦに、他方の電気機器の電源ＯＮ／ＯＦＦを連動させたことに起因し、利用者が意図しないタイミングで他方の機器の電源ＯＮ／ＯＦＦが生じてしまうことを防ぐことができる電気機器、電源制御装置、補聴器を提供することにある。
【課題を解決するための手段】
【０００９】
本発明に係る電気機器は、上記課題を解決するために、対象機器における電源オフまたは電源オンを制御する電気機器において、自機器に対する電源オフまたは電源オンの指示を検知する指示検知手段と、上記指示検知手段が上記指示を検知すると、該指示が予めスケジュールされたものか否かに応じて、対象機器に、電源オフまたは電源オンの指示を送信する指示送信手段と、を備えることを特徴とする。
【００１０】
上記構成によれば、自機器において電源オフまたは電源オンの指示があった場合、当該指示が、スケジュールされたものか否かに応じて、対象機器の電源の制御内容を変えることができる。制御とは、例えば、対象機器に電源オフまたは電源オンの指示を行うことである。
【００１１】
ここで、対象機器としては、例えば、補聴器、歩数計など、利用者が衣服、身体等に装着して使用する機器が挙げられる。そして、自機器と対象機器との間で、電源を連動させることを、予め設定しておくことができる。
【００１２】
これにより、電気機器における電源オフがスケジュールされたものか否かに応じて、電気機器の電源オフに、対象機器の電源オフを連動させることができる。
【００１３】
例えば、電気機器における電源オフがスケジュールされたものでなければ、電気機器の電源オフに、対象機器の電源オフを連動させない構成について説明すると次のとおりである。
【００１４】
電気機器の電源オフがスケジュールされているとき、電気機器が手動で電源オフされた場合、利用者が何らかの周囲の状況の変化により、予定されていない動作を利用者が行ったと考えられる。この場合、対象機器を電源オフおよび電源オンのいずれの状態にするべきかは、周囲の状況により変わる。よって、このような場合、電気機器の電源オフに対象機器の電源オフを連動させてしまうと、利用者の意に反して対象機器が電源オフになるおそれがある。
【００１５】
上記構成は、スケジュールされたものか否かに応じて、電気機器の電源オフに、対象機器の電源オフを連動させることができるので、このような予定されていない電気機器の電源オフには、対象機器の電源オフを連動させないようにできる。
【００１６】
より具体的に、携帯電話機を電気機器として、補聴器を対象機器として構成した場合の例を説明すると次のとおりである。
【００１７】
携帯電話機も補聴器も、利用者が就寝するときには、電源をオフにすることが想定される。この場合、就寝時刻という予めスケジュールされた時刻に、携帯電話機および補聴器の電源をともにオフにでき、わざわざ携帯電話機と補聴器との両方を電源オフにしなくてもよいので好都合である。
【００１８】
一方、病院などの施設内において利用者が手動で携帯電話機を電源オフにしても、この電源オフは、就寝時刻という予めスケジュールされたものにはよらないので、補聴器の電源はオンのまま維持され、利用者の普通の会話に支障が出てしまうことを防ぐことができる。
【００１９】
このように、上記構成を備えることにより、２つの機器間において、一方の機器の電源オンまたは電源オフに、他方の機器の電源オンまたは電源オフを連動させたことに起因し、利用者が意図しないタイミングで他方の機器の電源オンまたは電源オフが生じてしまうことを防ぐことができる。
【００２０】
また、本発明に係る電気機器では、上記指示検知手段は、自機器に対する電源オフを検知し、上記指示送信手段は、上記指示が予めスケジュールされたものであるとき、上記対象機器に、電源オフの指示を送信する一方で、上記指示が予めスケジュールされたものでないとき、上記対象機器に、電源オフの指示を送信しないことが好ましい。
【００２１】
上述のとおり、電気機器の電源オフがスケジュールされているとき、電気機器が手動で電源オフされた場合、利用者が何らかの周囲の状況の変化により、予定されていない動作を利用者が行ったと考えられる。この場合、対象機器を電源オフおよび電源オンのいずれの状態にするべきかは、周囲の状況により変わる。
【００２２】
上記構成は、電気機器の電源オフがスケジュールされたものである場合には、電気機器の電源オフに、対象機器の電源オフを連動させることができる一方で、スケジュールされていない電気機器の電源オフには、対象機器の電源オフを連動させないようにできる。
【００２３】
これにより、予定されていない動作を利用者が行った場合に、対象機器が、利用者の意に反して電源オフとなることを防ぐことができる。
【００２４】
また、本発明に係る電気機器では、上記指示検知手段は、自機器に対する電源オフを検知し、上記指示送信手段は、上記指示が予めスケジュールされたものでないとき、上記対象機器に、電源オフの指示を送信する一方で、上記指示が予めスケジュールされたものであるとき、上記対象機器に、電源オフの指示を送信しないことが好ましい。
【００２５】
一方の機器において、予めスケジュールしたときに自動的に電源オフ状態にするような場合、その時刻になっても直ちに利用者が活動を終了しないこともある。よって、スケジュールにより自動的に電源オフするのとは別の方法、例えば、手動により一方の機器を電源オフにする場合のほうが、利用者が活動終了の意思を示していると判断できる場合もある。
【００２６】
一方の機器において、利用者の操作に起因する動作（例えば利用者による手動操作）により電源オフとなるほうが、タイマー設定により電源オフとなるよりも、より利用者の活動終了（例えば、夜寝る）の意思を示していると判断できる場合、利用者が活動終了することにより、他方の機器も使用されなくなることが考えられる。
【００２７】
このような場合、当該利用者の操作による一方の機器の電源オフに、他方の機器の電源オフを連動させることが望ましい。
【００２８】
上記構成によれば、電気機器において、より利用者による活動終了の意思を示していると判断できる操作に応じて電源オフとなったときに、対象機器を電源オフとすることができるので、電源の切り忘れを防止できるとともに、利用者の意に反して他の機器が電源オフ状態となることを防ぐことができる。
【００２９】
また、本発明に係る電気機器では、上記指示検知手段は、自機器に対する電源オンを検知し、上記指示送信手段は、上記指示が予めスケジュールされたものであるとき、上記対象機器に、電源オンの指示を送信する一方で、上記指示が予めスケジュールされたものでないとき、上記対象機器に、電源オンの指示を送信しないことが好ましい。
【００３０】
一方の機器の電源オンを、常に他方の機器の電源オンに連動させると、一方の機器において電源オンが予めスケジュールされているにもかかわらず、スケジュールされた電源オン以外の電源オンにより一方の機器の電源がオンになると、他方の機器も電源オンとなる。
【００３１】
この場合、スケジュールされたときになるまでは他方の機器がまだ使用する見込みがないときには、使用されないにもかかわらず他方の機器が電源オンとなるので、他方の機器を電源オフにする手間が増えたり、他方の機器において無駄に電力を消費したりしてしまうおそれが生じる。
【００３２】
そこで、スケジュールされていない場合に、一方の機器が電源オンになっても、他方の機器の電源オンを連動させないで、現状のままに保つことにより、利用者の意に反して他方の機器が電源オンになることを防ぐことが望ましい。
【００３３】
上記構成によれば、電源オンの指示がスケジュールされたものでないときには、対象機器が電源オンとならないので、利用者の意に反して対象機器が電源オンとなることを防ぐことができる。また、スケジュールされたときには、電気機器の電源オンに対象機器の電源オンを連動させることができ、対象機器を電源オンにする手間を省けることができる。
【００３４】
また、本発明に係る電気機器では、上記指示検知手段は、自機器に対する電源オンを検知し、上記指示送信手段は、上記指示が予めスケジュールされたものでないとき、上記対象機器に、電源オンの指示を送信する一方で、上記指示が予めスケジュールされたものであるとき、上記対象機器に、電源オンの指示を送信しないことが好ましい。
【００３５】
一方の機器の電源オンを、常に他方の機器の電源オンに連動させると、一方の機器において電源オンがスケジュールされていると、スケジュールされたときに一方の機器の電源がオンになると、他方の機器も電源オンとなる。
【００３６】
しかし、一方の機器が電源オンになっても、まだ他方の機器を使用しない場合も想定される。
【００３７】
スケジュールされたときになっても他方の機器がまだ使用する見込みがないときには、使用されないにもかかわらず他方の機器が電源オンとなるので、他方の機器を電源オフにする手間が増えたり、他方の機器において無駄に電力を消費したりしてしまうおそれが生じる。
【００３８】
そこで、スケジュールされていないときに、一方の機器が電源オンになっても、他方の機器の電源オンを連動させないで、現状のままに保つことにより、利用者の意に反して他方の機器が電源オンになることを防ぐことが望ましい。
【００３９】
上記構成によれば、スケジュールされていないときに、電気機器が電源オンになっても、対象機器は電源オフを維持することができる。またスケジュールされている場合に、電気機器が電源オンになった場合、対象機器を電源オンの状態にすることができる。
【００４０】
これにより、スケジュールされていないときに、電気機器が電源オンとなることにより、使用されないにもかかわらず対象機器が電源オンとなることを防ぐことができる。
【００４１】
本発明に係る電源制御装置は、上記課題を解決するために、電気機器に供給する電源を制御する電源制御装置において、上記電気機器の周囲の状況を検知する状況検知手段と、上記状況検知手段が検知した状況に基づいて他の電気機器が動作開始または停止したことを判断する動作判断手段と、上記他の電気機器の動作開始または停止が検知された時刻と、予め定められた動作開始予定時刻または動作停止予定時刻とを比較した結果に応じて、上記電気機器に対する電源供給の開始または停止を行う供給制御手段と、を備えることを特徴とする。
【００４２】
上記構成によれば、まず、電気機器の周囲の状況から、他の電気機器が動作開始したか、あるいは動作停止したかを判断することができる。
【００４３】
ここで、上記電気機器と対象機器との関係は、例えば、自機器と対象機器との間で、電源を連動させることが、予め想定されているようなものである。つまり、上記構成では、電気機器の周囲の状況を検知することにより、予め電源を連動することが定められている他の電気機器の動作開始・停止を判断しているとも言える。
【００４４】
また、上記電気機器は、例えば、部屋に設置または据え置かれた電気機器が挙げられる。そして、対象機器としては、例えば、補聴器、歩数計など、利用者が衣服、身体等に装着して使用する機器、すなわち利用者が身に付けて使用する機器が挙げられる。
【００４５】
また、電気機器の周囲の状況は、他の電気機器の動作開始または動作停止を判断できるような状況のことをいう。例えば、他の電気機器が照明機器であれば、点灯および消灯により、電気機器の周囲の明るさが変化するため、電気機器の周囲の明るさが周囲の状況に当たる。また、他の電気機器が通信機器である場合、他の電気機器が通信可能な状況であるかどうかも、周囲の状況に含まれる。
【００４６】
そして、上記構成によれば、他の電気機器が動作開始（電源オン）状態となったまたは動作停止（電源オフ）状態となったと判断できる場合、これに応じて、電気機器に対する電源供給の制御を変更することができる。
【００４７】
よって、例えば、他の電気機器が動作開始または停止したと判断できる場合、この動作開始または停止が予め定められたものであるかどうかを判定し、これに応じて電気機器の電源供給の停止または開始を連動させることができる。
【００４８】
このため、また他の電気機器が動作開始または停止に電気機器の電源オンまたは電源オフを連動させたことに起因し、利用者が意図しないタイミングで当該電気機器の電源供給の停止または開始が生じてしまうことを防ぐことができる。
【００４９】
本発明に係る電源制御装置では、上記電気機器は、上記他の電気機器と通信可能に構成されており、上記状況検知手段は、上記他の電気機器との通信が確立または切断されたことを検知し、上記動作判断手段は、上記状況検知手段が上記他の電気機器との通信が確立されたことを検知したとき、上記他の電気機器が動作開始したと判断し、また、上記状況検知手段が上記他の電気機器との通信が切断されたことを検知したとき、上記他の電気機器が動作停止したと判断することが好ましい。
【００５０】
上記構成によれば、まず、通信機能を有する他の電気機器との通信の確立および切断を検知する。ここで、他の電気機器との通信の確立は、他の電気機器において電源供給が開始されたと判断でき、他の電気機器との通信の切断は、他の電気機器における電源供給が停止されたと判断できる。
【００５１】
そして、上記構成によれば、通信機能を有する他の電気機器との通信の確立または切断が、予め定められた設定時刻におけるものか否かに応じて、電気機器に対する電源供給の開始または停止を行うことができる。
【００５２】
これにより、電源制御装置と、通信機能を備える他の電気機器との間において、他の電気機器との通信の確立または切断、すなわち他の電気機器における電源供給の停止または開始に、電気機器の電源供給の停止または開始を連動させることができ、また連動させたことに起因し、利用者が意図しないタイミングで当該電気機器の電源供給の停止または開始が生じてしまうことを防ぐことができる。
【００５３】
本発明に係る電源制御装置では、上記他の電気機器は照明器具であり、上記状況検知手段は、上記電気機器周辺の明るさを検知するものであり、上記動作判断手段は、上記状況検知手段が検知した明るさが、所定値をこえれば上記他の電気機器が動作開始したと判断し、また、上記状況検知手段が検知した明るさが所定値以下となれば上記他の電気機器が動作停止したと判断することが好ましい。
【００５４】
上記構成によれば、まず、電気機器周辺の明るさを検知することにより、照明機器である他の電気機器が点灯したか、あるいは消灯したかを判定することができる。
【００５５】
ここで、照明機器である他の電気機器が点灯した場合、他の電気機器において電源供給が開始されたと判断でき、他の電気機器が消灯した場合、他の電気機器において電源供給が停止されたと判断できる。
【００５６】
そして、上記構成によれば、照明機器の点灯および消灯が、予め定められた設定時刻におけるものか否かに応じて、電気機器に対する電源供給の開始または停止を行うことができる。
【００５７】
これにより、照明機器である他の電気機器の点灯および消灯に、電気機器の電源供給の停止または開始を連動させることができ、また連動させたことに起因し、利用者が意図しないタイミングで当該電気機器の電源供給の停止または開始が生じてしまうことを防ぐことができる。
【００５８】
本発明は、上記電源制御装置と、上記電気機器としての聴覚補助部と、を備える補聴器として構成することもできる。
【００５９】
補聴器は、意に反して電源供給が停止してしまうと、日常生活に支障をきたすおそれがある。上記構成によれば、補聴器と他の機器との電源を連動させる際に、利用者が意図しないタイミングで補聴器の聴覚補助部に対する電源供給の停止または開始が起ることを防ぎ、日常生活に支障をきたすことを防ぐことができるという効果を奏する。
【発明の効果】
【００６０】
本発明に係る電気機器は、自機器に対する電源オフまたは電源オンの指示を検知する指示検知手段と、上記指示検知手段が上記指示を検知すると、該指示が予めスケジュールされたものか否かに応じて、利用者が身に付けて使用する対象機器に、電源オフまたは電源オンの指示を送信する指示送信手段と、を備える構成である。
【００６１】
本発明に係る電源制御装置は、電気機器の周囲の状況を検知する状況検知手段と、上記状況検知手段が検知した状況に基づいて他の電気機器が動作開始または停止したことを判断する動作判断手段と、上記他の電気機器の動作開始または停止が検知された時刻と、予め定められた動作開始予定時刻または動作停止予定時刻とを比較した結果に応じて、上記電気機器に対する電源供給の開始または停止を行う供給制御手段と、を備える構成である。
【００６２】
２つの機器間において、一方の機器の電源オンまたは電源オフに、他方の機器の電源オンまたは電源オフを連動させたことに起因し、利用者が意図しないタイミングで他方の機器の電源オンまたは電源オフが生じてしまうことを防ぐことができる。
【図面の簡単な説明】
【００６３】
【図１】本発明の一実施形態に係る携帯電話機の主制御部および記憶部の機能的構成を示す機能ブロック図である。
【図２】本発明の一実施形態に係る電源連動システムの概略的構成を示すブロック図である。
【図３】本発明の一実施形態に係る携帯電話機の外観を示す斜視図である。
【図４】本発明の一実施形態に係る補聴器の外観を示す図である。
【図５】２つの機器の電源ＯＮおよびＯＦＦを連動させる場合において、連動元機器における電源ＯＮ／ＯＦＦを、連動先機器における電源ＯＮ／ＯＦＦにどのように連動させるかを示す表である。
【図６】上記携帯電話機における電源連動処理の流れについて示したフローチャートである。
【図７】本発明の一実施形態に係る補聴器における電源連動処理の流れについて示したフローチャートである。
【図８】上記携帯電話機および上記補聴器の間の通信シーケンスについて示したシーケンス図である。
【図９】本発明の他の実施形態に係る電源連動システムの概略的構成を示すブロック図である。
【図１０】本発明の他の実施形態に係る補聴器の主制御部および記憶部の機能的構成を示す機能ブロック図である。
【図１１】本発明の他の実施形態に係る携帯電話機における電源連動処理の流れについて示したフローチャートである。
【図１２】上記補聴器における電源連動処理の流れについて示したフローチャートである。
【図１３】上記携帯電話機および上記補聴器の間の通信シーケンスについて示したシーケンス図である。
【図１４】本発明のさらに他の実施形態に係る電源連動システムの概略的構成を示すブロック図である。
【図１５】本発明のさらに他の実施形態に係る照明機器の主制御部および記憶部の機能的構成を示す機能ブロック図である。
【図１６】上記照明機器における電源連動処理の流れについて示したフローチャートである。
【図１７】本発明のさらに他の実施形態に係る電源連動システムの概略的構成を示すブロック図である。
【図１８】本発明の他の実施形態に係る補聴器の主制御部および記憶部の機能的構成を示す機能ブロック図である。
【図１９】上記照明機器における電源制御処理の流れについて示したフローチャートである。
【図２０】上記補聴器における電源連動処理の流れについて示したフローチャートである。
【図２１】本発明のさらに他の実施形態に係る電源連動システムの概略的構成を示すブロック図である。
【図２２】本発明のさらに他の実施形態に係るテレビの主制御部および記憶部の機能的構成を示す機能ブロック図である。
【図２３】上記テレビにおける電源連動処理の流れについて示したフローチャートである。
【図２４】本発明のさらに他の実施形態に係る補聴器における電源連動処理の流れについて示したフローチャートである。
【図２５】上記テレビおよび上記補聴器の間の通信シーケンスについて示したシーケンス図である。
【図２６】本発明のさらに他の実施形態に係る電源連動システムの概略的構成を示すブロック図である。
【図２７】本発明のさらに他の実施形態に係るエアコンの主制御部および記憶部の機能的構成について示す機能ブロック図である。
【図２８】上記エアコンにおける電源連動処理の流れについて示したフローチャートである。
【図２９】本発明のさらに他の実施形態に係る歩数計の概略的構成について示したブロック図である。
【図３０】本発明のさらに他の実施形態に係る歩数計の概略的構成について示したブロック図である。
【図３１】従来、２つの機器の電源ＯＮおよびＯＦＦを連動させる場合において、連動元機器における電源ＯＮ／ＯＦＦを、連動先機器における電源ＯＮ／ＯＦＦにどのように連動させていたかを示す表である。
【発明を実施するための形態】
【００６４】
〔実施形態１〕
本発明の一実施形態について図１〜図８に基づいて説明すれば、以下のとおりである。
【００６５】
（システムの構成）
まず、図２を用いて、本実施形態に係る電源連動システム１の概要について説明する。図２は、本実施形態に係る電源連動システム１の概略的構成を示すブロック図である。
【００６６】
図２に示すように電源連動システム１は、携帯電話機（電気機器）１００および補聴器（対象機器）２００を備える構成である。
【００６７】
ここで、図３および図４を用いて、携帯電話機１００および補聴器２００の外観について説明する。図３は、携帯電話機１００の外観を示す図であり、図４は、補聴器２００の外観を示すずである。
【００６８】
図３に示すように、携帯電話機１００は、一例として折りたたみ式の筐体として構成しており、マイクロホン（以下、マイクと略称する）１１１、スピーカ１１５、およびキー１２１を備える構成である。
【００６９】
また、キー１２１は、携帯電話機１００の電源をＯＮ／ＯＦＦするための電源キー１２２を含む。
【００７０】
そして、図４に示すように補聴器２００は、マイク（不図示）にて集音した音波を増幅してスピーカ２２５から出力するものである。補聴器２００は、耳の穴にフィットする形状に構成され、使用時には利用者の耳に装着される。
【００７１】
ここで、図５を用いて、携帯電話機１００および補聴器２００の連動設定について説明すると次のとおりである。図５は、２つの機器の電源ＯＮおよびＯＦＦを連動させる場合において、連動元機器における電源ＯＮ／ＯＦＦを、連動先機器における電源ＯＮ／ＯＦＦにどのように連動させるかを示す表である。
【００７２】
電源連動システム１では、携帯電話機１００が連動元機器であり、補聴器２００が連動先機器である。
【００７３】
電源連動システム１では、図５の『ＯＦＦ設定１』に示す内容で携帯電話機１００の電源ＯＦＦと、補聴器２００の電源ＯＦＦとが連動している。すなわち、電源連動システム１は、携帯電話機１００がタイマーにより電源ＯＮから電源ＯＦＦになった場合、補聴器２００が電源ＯＮから電源ＯＦＦとなる構成である。
【００７４】
以下では、『ＯＦＦ設定１』を実現するための携帯電話機１００および補聴器２００の構成についてそれぞれ説明する。
【００７５】
まず、携帯電話機１００の構成について説明する。図２に示すように、携帯電話機１００は、近距離無線部１０２、無線通信部１０３、マイク１１１、音声増幅部１１２、デジタル変換／信号処理部１１３、アナログ変換／可変増幅部１１４、スピーカ１１５、キー１２１、タイマー部１２３、電源制御部１２４、電池１２５、主制御部１３０および記憶部１５０を備える構成である。
【００７６】
近距離無線部１０２は、いわゆる近距離無線通信方式により、補聴器２００との通信を確立するためのものである。この近距離無線通信方式には、例えば、Ｂｌｕｅｔｏｏｔｈ（登録商標）を採用することができる。しかしながら、これに限られず、ZigBee（登録商標）、ＵＷＢ（Ultra Wide Band）、ＩｒＤＡ、電磁界通信、無線ＬＡＮ（ＩＥＥＥ８０２．１１）などの無線通信方式を採用してもよい。また、他にもイーサネット（登録商標）、ＵＳＢ（Universal Serial Bus）などの有線接続方式により携帯電話機１００と、補聴器２００とを接続し、通信を行ってもよい。
【００７７】
無線通信部１０３は、基地局１０５との通信を確立し、携帯電話網を介した通信を行うためものものである。
【００７８】
マイク１１１は、音波を電気信号に変換して出力するものである。
【００７９】
音声増幅部１１２は、マイク１１１から出力される電気信号を増幅するためのものである。
【００８０】
デジタル変換／信号処理部１１３は、音声増幅部１１２によって増幅されたアナログ信号をデジタル信号に変換し、信号処理を施すものである。
【００８１】
アナログ変換／可変増幅部１１４は、デジタル変換／信号処理部１１３によって、デジタル信号処理された音声信号をアナログ信号に変換し、適宜信号出力を増幅してスピーカ１１５に出力するものである。
【００８２】
スピーカ１１５は、アナログ変換／可変増幅部１１４から出力される電気信号を音波に変換して出力するものである。
【００８３】
キー１２１は、携帯電話機１００の各種操作を行うためのものである。キー１２１は、電源ＯＮ／ＯＦＦを操作するための電源キー１２２を含む構成である。
【００８４】
タイマー部１２３は、時間を計測するためのものである。タイマー部１２３は、例えば、時刻計測用のリアルタイムクロック（RTC）ＩＣ（Integrated Circuit）により実現することができる。また、タイマー部１２３は、例示的に、タイマー設定機能を具備しており、設定された時刻になると、主制御部１３０および／または電源制御部１２４に割り込み信号（アラーム）を出力することができる。
【００８５】
電源制御部１２４は、電池１２５からの電源供給を制御するためのものである。すなわち、電源制御部１２４は、携帯電話機１００の電源ＯＮおよび電源ＯＦＦの制御を統括する。
【００８６】
電源制御部１２４は、電源ＯＮの指示を受信して、携帯電話機１００を電源ＯＦＦの状態から電源ＯＮの状態にする。また、電源制御部１２４は、タイマー部１２３のタイマー設定により携帯電話機１００を電源ＯＮの状態にすることもできる。
【００８７】
また、電源制御部１２４は、電源ＯＦＦの指示を受信して、携帯電話機１００を電源ＯＮの状態から、電源ＯＦＦの状態にする。電源制御部１２４は、電源ＯＮの状態では、タイマー部１２３を含む各部に電池１２５からの動作電源を供給する。一方、電源制御部１２４は、電源ＯＦＦの状態では、タイマー部１２３以外の各部に対する動作電源の供給を停止し、タイマー部１２３のみに電源を供給する。
【００８８】
電池１２５は、携帯電話機１００の各部が動作するための電力を供給するための蓄電池である。
【００８９】
主制御部１３０は、携帯電話機１００の各部を統括的に制御するためのものである。主制御部１３０の機能は、例えばＲＡＭ（Random Access Memory）やフラッシュメモリなどの記憶装置に記憶されたプログラムをＣＰＵ（Central Processing Unit）が実行することによって実現される。例えば、主制御部１３０は、携帯電話機１００の通話処理を行う。すなわち、デジタル変換／信号処理部１１３からの信号を、無線通信部１０３を介して携帯電話網に送出する。また、無線通信部１０３が携帯電話網から受信した音声信号をアナログ変換／可変増幅部１１４に出力する。なお、主制御部１３０の詳細については後述する。
【００９０】
記憶部１５０は、各種データおよびプログラムを記憶するものである。記憶部１５０は、例えば、不揮発性の記憶装置であるハードディスク、フラッシュメモリ、ＲＯＭ等により構成することができる。なお、記憶部１５０の詳細については後述する。
【００９１】
さらに、補聴器２００の構成について説明する。図２に示すように、補聴器２００は、近距離無線部２１０、電源制御部２１１、電池２１２、マイク２２１、音声増幅部２２２、デジタル変換／イコライザ処理／信号処理部２２３、アナログ変換／可変増幅部２２４、スピーカ２２５を備える構成である。
【００９２】
近距離無線部２１０は、いわゆる近距離無線通信方式により、携帯電話機１００との通信を確立するためのものである。上述した携帯電話機１００が備える近距離無線部１０２と同様、各種の構成を採用することができる。また、近距離無線部２１０は、携帯電話機１００から電源ＯＦＦコマンドを受信すると、電源制御部２１１に対して電源ＯＦＦの指示を行う。
【００９３】
電源制御部２１１は、電池２１２からの電源供給を制御するためのものである。電源制御部２１１の電源供給経路は、２通りある。１つは、音声増幅部２２２、デジタル変換／イコライザ処理／信号処理部２２３、およびアナログ変換／可変増幅部２２４のそれぞれの間における電源供給ラインＢである。もう１つは、近距離無線部２１０との間における電源供給ラインＡである。
【００９４】
電源制御部２１１は、電源ＯＦＦの指示を受信すると、補聴器２００を電源ＯＮの状態から、電源ＯＦＦの状態にする。すなわち、電源制御部２１１は、電源供給ラインＢに対する電源供給を停止する。
【００９５】
電池２１２は、補聴器２００の各部が動作するための電力を供給するための蓄電池である。
【００９６】
マイク２２１は、音波を電気信号に変換して出力するものである。
【００９７】
音声増幅部２２２は、マイク２２１から出力される電気信号を増幅するためのものである。
【００９８】
デジタル変換／イコライザ処理／信号処理部２２３は、音声増幅部２２２によって増幅されたアナログ信号をデジタル信号に変換し得られた音声信号を適宜補正するとともに、各種の信号処理を施すものである。
【００９９】
アナログ変換／可変増幅部２２４は、デジタル変換／イコライザ処理／信号処理部２２３によってデジタル信号処理された音声信号をアナログ信号に変換し、適宜信号出力を増幅してスピーカ２２５に出力するものである。
【０１００】
スピーカ２２５は、アナログ変換／可変増幅部２２４から出力される電気信号を音波に変換して出力するものである。
【０１０１】
（携帯電話機の詳細構成）
次に、図１を用いて、携帯電話機１００が備える主制御部１３０および記憶部１５０についてさらに詳しく説明する。図１は、携帯電話機１００の主制御部１３０および記憶部１５０の機能的構成を示す機能ブロック図である。
【０１０２】
図１に示すように、記憶部１５０は、電源ＯＦＦ設定記憶部１５１およびタイマー設定情報記憶部１５２を備える構成である。
【０１０３】
電源ＯＦＦ設定記憶部１５１は、補聴器２００と電源ＯＦＦを連動させるべきイベントの種類を示すイベント種別を記憶するものである。
【０１０４】
ここで、イベントとは電源ＯＦＦが生じる契機となった事象のことである。以下、このような事象のことを電源ＯＦＦイベントと称する。
【０１０５】
携帯電話機１００において電源ＯＦＦを引き起こす電源ＯＦＦイベントの種類は、例えば、次の３つが考えられる。すなわち、電源キー１２２が入力されたことによる“電源キーイベント”、タイマー部１２３における“電源ＯＦＦタイマー設定イベント”、および“エラー処理イベント”の３つである。これらについてより具体的に説明すれば次のとおりである。
【０１０６】
電源キーイベントとは、携帯電話機１００が電源ＯＮの状態であるときに、電源キー１２２が押下されることにより発生するイベントのことである。
【０１０７】
電源ＯＦＦタイマー設定イベントとは、タイマー部１２３に設定されている電源ＯＦＦ予定時刻になったときに発生するイベントのことである。
【０１０８】
３つのイベントすべてに補聴器２００との電源ＯＦＦを連動させるべきである場合は、電源ＯＦＦ設定記憶部１５１には、イベント種別として、“全て”が記憶される。
【０１０９】
エラー処理イベントは、携帯電話機１００において、動作継続が困難となるような深刻なエラーが生じたときに発生するイベントである。
【０１１０】
なお、電源ＯＦＦ設定記憶部１５１に設定されるイベント種別の初期設定は、例示的に“電源ＯＦＦタイマー設定イベント”としている。
【０１１１】
また、電源ＯＦＦ設定記憶部１５１では、イベント種別として、“電源ＯＦＦタイマー設定イベント”または“全て”のみが、択一的に設定できるようになっていてもよい。
【０１１２】
タイマー設定情報記憶部１５２は、タイマー部１２３のタイマー設定機能として設定すべき時刻を示すタイマー設定情報を記憶するものである。タイマー設定情報記憶部１５２に記憶するタイマー設定情報には、次の２つの時刻のいずれかまたは両方を設定することができる。まず、１つめはタイマー設定により携帯電話機１００を電源ＯＮとすべき時刻を示す自動電源ＯＮ時刻である。もうひとつは、タイマー設定により携帯電話機１００を電源ＯＦＦとすべき時刻を示す自動電源ＯＦＦ時刻である。
【０１１３】
また、図１に示すように、主制御部１３０は、より詳細には、イベント検知部（指示検知手段）１３１、判定部１３２、コマンド送信部（指示送信手段）１３３、制御指示部１３４、および設定部１３５を備える構成である。
【０１１４】
イベント検知部１３１は、電源ＯＦＦイベントを検知するものである。例えば、イベント検知部１３１は、キー１２１に含まれる電源キー１２２が操作されたことによる電源ＯＦＦイベントを検知する。また、イベント検知部１３１は、タイマー部１２３における電源ＯＦＦタイマー設定による電源ＯＦＦイベントを検知する。さらには、イベント検知部１３１は、深刻なエラーが発生した場合、例えば、図示しないエラー処理部などによる電源ＯＦＦイベントを検知する。
【０１１５】
イベント検知部１３１は、電源ＯＦＦイベントを検知すると、電源ＯＦＦイベントを検知した旨およびそのイベントのイベント種別を判定部１３２に通知する。
【０１１６】
判定部１３２は、イベント検知部１３１からの通知に応じて、その電源ＯＦＦイベントのイベント種別が、補聴器２００と電源ＯＦＦを連動させるべきものか否かを判定するものである。
【０１１７】
具体的には、判定部１３２は、イベント検知部１３１から電源ＯＦＦイベントを検知した旨およびその電源ＯＦＦイベントのイベント種別の通知を受けると、電源ＯＦＦ設定記憶部１５１に記憶されているイベント種別を読み出す。そして、判定部１３２は、イベント検知部１３１から通知されるイベント種別が、読み出したイベント種別と合致するか否かを判定する。
【０１１８】
電源ＯＦＦイベントのイベント種別が、読み出したイベント種別と合致していれば、判定部１３２は、電源ＯＦＦを連動させるべきイベントと判定する。この場合、判定部１３２は、コマンド送信部１３３にその旨の通知を行うとともに、制御指示部１３４に電源ＯＦＦの指示を要求する。
【０１１９】
なお、判定部１３２は、読み出したイベント種別が“全て”である場合は、どのような電源ＯＦＦイベントであっても、電源ＯＦＦを連動させるべきイベントと判定する。
【０１２０】
一方、電源ＯＦＦイベントのイベント種別が、読み出したイベント種別と合致していなければ、判定部１３２は、電源ＯＦＦを連動させるべきイベントではない判定する。この場合、判定部１３２は、制御指示部１３４に電源ＯＦＦの指示を要求する。
【０１２１】
コマンド送信部１３３は、判定部１３２からの通知を受けた場合、近距離無線部１０２を介して補聴器２００に対して電源ＯＦＦコマンドを送信するものである。
【０１２２】
制御指示部１３４は、判定部１３２からの要求に応じて、電源制御部１２４に電源ＯＦＦの指示を行うものである。
【０１２３】
設定部１３５は、キー１２１における操作などにより、タイマー設定情報記憶部１５２に、自動電源ＯＮ時刻情報および自動電源ＯＦＦ時刻情報を記憶したり、タイマー設定情報記憶部１５２に記憶されている自動電源ＯＮ時刻情報または自動電源ＯＦＦ時刻情報を読み出して、タイマー部１２３に電源ＯＮタイマー設定または電源ＯＦＦ設定を行ったりするものである。
【０１２４】
（携帯電話機における処理の流れ）
次に、図６を用いて、携帯電話機１００における電源連動処理の流れについて説明する。図６は、携帯電話機１００における電源連動処理の流れについて示したフローチャートである。
【０１２５】
図６に示すように、まず、携帯電話機１００において、予め、電源ＯＦＦ設定記憶部１５０にイベント種別が設定される（Ｓ１０１）。この設定は、例えば、設定する対象となるイベントを携帯電話機１００の表示部（不図示）において表示し、キー１２１により利用者に選択させることで行うことができる。
【０１２６】
イベント検知部１３１が電源ＯＦＦイベントを検知すると（Ｓ１０２）、判定部１３２が、電源ＯＦＦ設定記憶部１５１に記憶されているイベント種別が“全て”であるか否かを判定する（Ｓ１０３）。
【０１２７】
判定の結果、イベント種別が“全て”でない場合（Ｓ１０３においてＮＯ）、判定部１３２は、さらに電源ＯＦＦイベントのイベント種別が“電源キーイベント”であるか否かを判定する（Ｓ１０４）。
【０１２８】
判定の結果、電源ＯＦＦイベントのイベント種別が“電源キーイベント”である場合（Ｓ１０４においてＹＥＳ）、判定部１３２が、制御指示部１３４に電源ＯＦＦの指示を要求し、その後、制御指示部１３４が、電源制御部１２４に電源ＯＦＦの指示を行う（Ｓ１０９）。
【０１２９】
一方、判定の結果、電源ＯＦＦイベントのイベント種別が“電源キーイベント”でなかった場合（Ｓ１０４においてＮＯ）、判定部１３２は、さらに電源ＯＦＦイベントのイベント種別が“電源ＯＦＦタイマー設定イベント”であるか否かを判定する（Ｓ１０５）。
【０１３０】
判定の結果、電源ＯＦＦイベントのイベント種別が“電源ＯＦＦタイマー設定イベント”である場合、判定部１３２は、検知された電源ＯＦＦイベントが電源ＯＦＦを連動させるべきイベントであると判定する。そして、判定部１３２は、コマンド送信部１３３にその旨の通知を行う一方で、制御指示部１３４に電源ＯＦＦの指示を要求する。その後、コマンド送信部１３３は、上記通知に応じて、近距離無線部１０２を介して補聴器２００に電源ＯＦＦコマンドを送信する（Ｓ１０６）。
【０１３１】
そして、制御指示部１３４が、補聴器２００からの電源ＯＦＦの応答を確認すると（Ｓ１０７）、タイマー部１２３において自動電源ＯＮ時刻が設定された後（Ｓ１０８）、制御指示部１３４が、電源制御部１２４に電源ＯＦＦの指示を行う（Ｓ１０９）。
【０１３２】
一方、判定の結果、電源ＯＦＦイベントのイベント種別が“電源ＯＦＦタイマー設定イベント”でない場合、判定部１３２は、検知されたイベントが電源ＯＦＦを連動させるべきイベントでないと判定する。携帯電話機１００では、コマンド送信部１３３が補聴器２００に電源ＯＦＦコマンドを送信することなく、タイマー部１２３に自動電源ＯＮ時刻が設定された後（Ｓ１０８）、制御指示部１３４が、判定部１３２の要求に応じて、電源制御部１２４に電源ＯＦＦの指示を行う（Ｓ１０９）。
【０１３３】
なお、Ｓ１０３において、電源ＯＦＦ設定記憶部１５１に記憶されているイベント種別が“全て”である場合、携帯電話機１００では上述のＳ１０６〜Ｓ１０９の処理が実行される。
【０１３４】
（補聴器における処理の流れ）
次に、図７を用いて、補聴器２００における電源連動処理の流れについて説明する。図７は、補聴器２００における電源連動処理の流れについて示したフローチャートである。
【０１３５】
図７に示すように、補聴器２００では、近距離無線部２１０が、携帯電話機１００が上述のＳ１０６（図６）において送信する電源ＯＦＦコマンドを受信する（Ｓ２０１）。
【０１３６】
続いて、補聴器２００の近距離無線部２１０が、電源ＯＦＦコマンドを受信した旨の応答を携帯電話機１００に送信する（Ｓ２０２）。
【０１３７】
そして、補聴器２００の近距離無線部２１０は、受信した電源ＯＦＦコマンドを電源制御部２１１に転送すると（Ｓ２０３）、これに応じて、電源制御部２１１は、電源供給ラインＢへの電源供給を停止する（Ｓ２０４）。
【０１３８】
（携帯電話機および補聴器の間の通信シーケンス）
次に、図８を用いて、携帯電話機１００の近距離無線部１０２と、補聴器２００の近距離無線部２１０との間の通信シーケンスについて説明すると次のとおりである。図８は、携帯電話機１００および補聴器２００の間の通信シーケンスについて示したシーケンス図である。なお、図８に示す例は、通信方式にＢｌｕｅｔｏｏｔｈ（登録商標）を採用した場合について示している。
【０１３９】
図８に示すように、まず、携帯電話機１００の近距離無線部１０２から、補聴器２００の近距離無線部２１０に対して呼び出しを行うと（ＳＥＱ１０１）、これに対して、補聴器２００の近距離無線部２１０が応答する（ＳＥＱ１０２）。
【０１４０】
続いて、携帯電話機１００の近距離無線部１０２と、補聴器２００の近距離無線部２１０との間で認証処理が行われる（ＳＥＱ１０３）。認証処理が成功すると携帯電話機１００の近距離無線部１０２と、補聴器２００の近距離無線部２１０との間で接続処理が行われ（ＳＥＱ１０４）、これにより両者間における通信リンクが確立される（ＳＥＱ１０５）。
【０１４１】
なお、携帯電話機１００および補聴器２００との間で通信リンクを確立するタイミングは、特に限定されず、携帯電話機１００が電源をＯＦＦにする直前であってよい。また、これに限られず、携帯電話機１００が電源ＯＮになったときに通信リンクを確立し、以後両者間で常時通信リンクが確立されている状態を維持してもよい。
【０１４２】
続いて、携帯電話機１００において所定の電源ＯＦＦイベントが発生することにより、携帯電話機１００の近距離無線部１０２から、補聴器２００の近距離無線部２１０に対して電源ＯＦＦコマンドが送信される（ＳＥＱ１０６）。
【０１４３】
ここで、補聴器２００の近距離無線部２１０から携帯電話機１００の近距離無線部１０２に対して電源ＯＦＦコマンドを受信した旨の応答があると、両者間の通信リンクを切断し（ＳＥＱ１０８）、携帯電話機１００および補聴器２００のそれぞれにおいて電源ＯＦＦの処理がなされる。
【０１４４】
（作用・効果）
以上のように、本実施形態に係る携帯電話機１００は、利用者が使用する携帯電話機１００において、自機器に対する電源オフまたは電源オンのイベントを検知するイベント検知部１３１と、イベント検知部１３１がイベントを検知すると、イベントが予めスケジュールされたものか否かに応じて、利用者が身に付けて使用する補聴器２００に、電源オフまたは電源オンの指示を送信するコマンド送信部１３３と、を備える構成である。
【０１４５】
携帯電話機１００や、補聴器２００といった機器は、ともに利用者が起きているときには機器を電源ＯＮ状態にし、寝ているときには機器を電源ＯＦＦ状態にするという使い方をすることが考えられる。
【０１４６】
このように、使用する場面が同じと考えられる機器について、一方の機器の電源があらかじめスケジュールされた動作、例えばタイマー設定によってＯＦＦになったときは、他方の機器も使用されなくなると考えられる。この場合、他方の機器の電源を連動させてＯＦＦにすることにより、電源の切り忘れを防止できる。ひいては、他方の機器の電源が無駄に使われることを防ぐことができる。
【０１４７】
上記構成によれば、携帯電話機１００が、タイマー設定により電源ＯＦＦとなると、補聴器２００に、電源ＯＦＦコマンドを送信するので、補聴器２００は電源ＯＦＦとなる。これにより、補聴器２００の電源ＯＦＦ操作の手間を省くとともに、電源ＯＦＦ操作を失念し補聴器２００の電池が浪費されてしまうことを防ぐ。
【０１４８】
また、一方の機器の電源がボタン操作などその他の動作によって手動によりＯＦＦになった場合は、何らかの周囲の状況の変化により、予定されていない動作を利用者が行ったと考えられる。この場合、他方の機器がどのように動作すべきかは、その周囲の状況によって変わる。そこで、このような場合、一方の機器の電源ＯＦＦに他方の機器の電源ＯＦＦを連動させず、他方の機器の電源の状態を、現状のままに保つことにより、利用者の意に反して他の機器が電源ＯＦＦとなることを防ぐ。
【０１４９】
上記電源連動システム１によれば、携帯電話機１００が、手動により電源ＯＦＦとなったときは、携帯電話機１００が補聴器２００に電源ＯＦＦコマンドを送信しないので、補聴器２００は電源ＯＦＦとならない。
【０１５０】
このため、病院などの中で携帯電話機１０が手動により電源ＯＦＦ状態にされても補聴器２００の電源がきれず、普通の会話に支障が生じないという効果を得られる。
【０１５１】
なお、図３１を用いて、参考までに従来の電源ＯＦＦに係る連動設定と対比すると次のとおりである。すなわち、従来、図３１に示す『ＯＦＦ設定』のように、タイマー設定により電源ＯＦＦとする場合でも、手動により電源ＯＦＦする場合でも、区別なく連動先機器が電源ＯＦＦとなっていた。電源ＯＦＦ設定記憶部１５１においてイベント種別を“全て”とすればこのような構成もサポート可能である。
【０１５２】
なお、以上では、携帯電話機１００の電源オフに、補聴器２００の電源オフを連動させていたが、逆に、補聴器２００の電源オフに、携帯電話機１００の電源オフを連動させてもよい。
【０１５３】
〔実施形態２〕
本発明の他の実施形態について図９〜図１３に基づいて説明すれば、以下のとおりである。なお、説明の便宜上、既に説明した図面と同じ機能を有する部材については、同じ符号を付記し、その説明を省略する。
【０１５４】
（システムの構成）
まず、図９を用いて、本実施形態に係る電源連動システム２の概要について説明する。図９は、電源連動システム２の概略的構成を示すブロック図である。
図９に示すように電源連動システム２は、携帯電話機１００Ａおよび補聴器２００Ａを備える構成である。
【０１５５】
携帯電話機１００Ａおよび補聴器２００Ａの連動設定は、図５に示した『ＯＦＦ設定１』に示すとおりであり、これについては既に説明したとおりであるので、その説明を省略する。
【０１５６】
電源連動システム２においても、上述の電源連動システム１と同様、携帯電話機１００Ａが連動元機器であり、補聴器２００Ａが連動先機器である。
【０１５７】
まず、図９を参照しながら、携帯電話機１００Ａの構成について説明すると次のとおりである。
【０１５８】
携帯電話機１００Ａは、上述の携帯電話機１００において、主制御部１３０および記憶部１５０を、それぞれ主制御部１３０Ａおよび記憶部１５０Ａに置き換えた構成である。
【０１５９】
記憶部１５０Ａには、上述したタイマー設定情報が記憶される。
【０１６０】
主制御部１３０Ａは、携帯電話機１００の各部を統括的に制御するためのものである。例えば、主制御部１３０Ａは、主制御部１３０と同様、携帯電話機１００Ａの通話処理を行う。
【０１６１】
また、主制御部１３０Ａは、電源ＯＦＦイベントが発生した場合、近距離無線部１０２に対して、補聴器２００Ａとの間の通信リンクを切断するよう指示する。
【０１６２】
さらには、主制御部１３０Ａは、主制御部１３０の設定部１３５と同等の機能を備える。すなわち、主制御部１３０Ａは、タイマー設定を行うことができる。また、主制御部１３０Ａは、記憶部１５０Ａのタイマー設定情報を設定・更新することができる。また、主制御部１３０Ａは、設定したタイマー設定の内容を、近距離無線部１０２を介して補聴器２００Ａに通知することができ、タイマー設定に変更があった場合、その都度、変更後のタイマー設定の内容を、補聴器２００Ａに通知する。
【０１６３】
（補聴器の構成）
図９を参照しながら、さらに、補聴器２００Ａの構成について説明すると次のとおりである。
【０１６４】
補聴器２００Ａは、上述の補聴器２００において、近距離無線部２１０を、近距離無線部２１０Ａに置き換えるとともに、主制御部２３０、タイマー部２４０、および記憶部２５０をさらに追加した構成である。また、電源供給ラインＢは、音声増幅部（聴覚補助部）２２２、デジタル変換／イコライザ処理／信号処理部（聴覚補助部）２２３、およびアナログ変換／可変増幅部（聴覚補助部）２２４に加えて、主制御部２３０および記憶部２５０にも接続される。また、電源供給ラインＡは、近距離無線部２１０に加えて、タイマー部２４０にも接続される。
【０１６５】
別の側面から見れば、補聴器２００Ａは、音声増幅部２２２、デジタル変換／イコライザ処理部／信号処理部２２３、およびアナログ変換／可変増幅部２２４と接続された電源供給ラインＢに供給する電源を制御する電源制御装置２６０を備える構成である。電源制御装置２６０は、主制御部２３０、タイマー部２４０、記憶部２５０、近距離無線部２１０Ａ、電源制御部２１１を備える構成である。
【０１６６】
近距離無線部２１０Ａは、いわゆる近距離無線通信方式により、携帯電話機１００との通信を確立するためのものである。上述した携帯電話機１００が備える近距離無線部１０２と同様、各種の構成を採用することができる。
【０１６７】
上記近距離無線部２１０との相違点は、近距離無線部２１０が、直接、電源制御部２１１に電源ＯＦＦの指示を行っていたのに対して、近距離無線部２１０Ａは、直接、携帯電話機１００Ａから切断コマンドを受信して、携帯電話機１００Ａの近距離無線部１０２との間で確立している通信を切断する点にある。
【０１６８】
主制御部２３０は、補聴器２００Ａにおける電源連動処理を統括的に制御するものである。主制御部２３０の機能は、例えばＲＡＭ（Random Access Memory）やフラッシュメモリなどの記憶装置に記憶されたプログラムをＣＰＵ（Central Processing Unit）が実行することによって実現される。なお、主制御部２３０の詳細については後述する。
【０１６９】
タイマー部２４０は、上記携帯電話機１００が備えるタイマー部１２３と同様、時間を計測するためのものである。タイマー部２４０は、例えば、時刻計測用のリアルタイムクロックＩＣにより実現することができる。また、タイマー部２４０は、例示的に、タイマー設定機能を具備しており、設定された時刻になると、主制御部２３０および／または電源制御部２１１に割り込み信号（アラーム）を出力することができる。
【０１７０】
記憶部２５０は、各種データおよびプログラムを記憶するものである。記憶部２５０は、例えば、不揮発性の記憶装置であるフラッシュメモリ等により構成することができる。なお、記憶部２５０の詳細については後述する。
【０１７１】
（補聴器の詳細構成）
次に、図１０を用いて、補聴器２００Ａが備える主制御部２３０および記憶部２５０についてさらに詳しく説明する。図１０は、補聴器２００Ａの主制御部２３０および記憶部２５０の機能的構成を示す機能ブロック図である。
【０１７２】
図１０に示すように、記憶部２５０は、連動設定情報記憶部２５１およびタイマー設定情報記憶部２５２を備える構成である。
【０１７３】
連動設定情報記憶部２５１は、携帯電話機１００Ａが電源ＯＦＦとなったと判断できるとき、補聴器２００Ａもこれに連動して電源ＯＦＦとすべきか否かを示す連動設定情報を記憶するものである。
【０１７４】
連動設定情報としては、“全て”、または、“タイマー設定のみ”を設定することができる。
【０１７５】
“全て”は、携帯電話機１００Ａが電源ＯＦＦとなったと判断できるときにはどのような理由であっても補聴器２００Ａもこれに連動して電源ＯＦＦとすべきことを示す設定である。
【０１７６】
“タイマー設定のみ”は、携帯電話機１００Ａがタイマー設定によって電源ＯＦＦとなったと判断できるときにのみ補聴器２００Ａもこれに連動して電源ＯＦＦとすべきこと示す設定である。この設定によれば、補聴器２００Ａでは、携帯電話機１００Ａとの通信が切断されとき、この通信の切断が、予定されていたものか否かに応じて、自機器の電源ＯＦＦにする。このように電源連動処理を行うのは、予定された時刻に、携帯電話機１００Ａとの通信が切断さたときは、携帯電話機１００Ａが電源ＯＦＦとなったと判断できるからである。
【０１７７】
タイマー設定情報記憶部２５２は、携帯電話機１００Ａから送信されるタイマー設定情報を記憶するものである。タイマー設定情報は、携帯電話機１００Ａがタイマー設定により電源ＯＦＦする予定時刻を含む情報である。
【０１７８】
また、図１０に示すように、主制御部２３０は、通信検知部（状況検知手段、動作判断手段）２３１、判定部２３２、制御指示部（供給制御手段）２３４、およびタイマー設定情報受信部２３５を備える構成である。
【０１７９】
通信検知部２３１は、近距離無線部２１０Ａにおける携帯電話機１００Ａとの通信が切断されたことを検知するものである。
【０１８０】
判定部２３２は、通信検知部２３１が通信の切断を検知した場合において、補聴器２００Ａを電源ＯＦＦとすべきか否かを判定するものである。
【０１８１】
判定部２３２は、通信検知部２３１が通信の切断を検知すると、連動設定情報記憶部２５１から連動設定情報を読み出す。
【０１８２】
連動設定情報として“全て”が設定されていた場合、判定部２３２は、制御指示部２３４に電源ＯＦＦの指示を出すよう要求する。
【０１８３】
また、連動設定情報として“タイマー設定のみ”が設定されていた場合、判定部２３２は、さらにタイマー設定情報記憶部２５２からタイマー設定情報を読み出す。そして、判定部２３２は、タイマー部２４０から現在時刻を取得し、現在時刻と、タイマー設定情報が示す予定時刻とを比較する。比較の結果、現在時刻と、タイマー設定情報が示す予定時刻とがほぼ同じであれば、判定部２３２は、制御指示部２３４に電源ＯＦＦの指示を出すよう要求する。
【０１８４】
判定部２３２は、携帯電話機１００Ａおよび補聴器２００Ａとの間の通信の遅延時間を基準として、現在時刻と、タイマー設定情報が示す予定時刻とがほぼ同じであるかどうかを判定することができる。
【０１８５】
制御指示部２３４は、判定部２３２の要求に応じて電源制御部２１１に電源ＯＦＦの指示を行うものである。
【０１８６】
（携帯電話機における処理の流れ）
次に、図１１を用いて、携帯電話機１００Ａにおける電源連動処理の流れについて説明する。図１１は、携帯電話機１００Ａにおける電源連動処理の流れについて示したフローチャートである。
【０１８７】
図１１に示すように、まず、携帯電話機１００Ａでは、近距離無線部１０２が、補聴器２００Ａの近距離無線部２１０Ａとの通信リンクを確立する（Ｓ３０１）。
【０１８８】
通信リンクが確立されると、主制御部１３０Ａが、近距離無線部１０２を介して、タイマー設定情報を補聴器２００Ａに送信する（Ｓ３０２）。
【０１８９】
ここで、タイマー設定情報を変更した場合（Ｓ３０３においてＹＥＳ）、主制御部１３０Ａは、変更後のタイマー設定情報を補聴器２００Ａに再送する（Ｓ３０２）。
【０１９０】
その後、主制御部１３０Ａは、電源ＯＦＦイベントを検知すると（Ｓ３０４）、近距離無線部１０２に対して、補聴器２００Ａとの間の通信リンクを切断するよう指示する（Ｓ３０５）。
【０１９１】
そして、携帯電話機１００Ａでは、電源制御部１２４が電池からの電源供給を停止する（Ｓ３０６）。
【０１９２】
（補聴器における処理の流れ）
次に、図１２を用いて、補聴器２００Ａにおける電源連動処理について説明する。図１２は、補聴器２００Ａにおける電源連動処理の流れについて示したフローチャートである。
【０１９３】
図１２に示すように、まず、補聴器２００Ａでは、予め、連動設定情報記憶部２５１の連動設定情報にイベント種別が設定される（Ｓ４０１）。この設定は、例えば、補聴器２００Ａにディップスイッチを設け、ディップスイッチにおいて“全て”および“タイマー設定のみ”の何れかを選択できるようにすることで行えるようにしてもよい。
【０１９４】
その後、近距離無線部２１０Ａが、携帯電話機１００Ａとの通信リンクを確立する（Ｓ４０２）。そして、通信リンクが確立されると、タイマー設定情報受信部２３５が、近距離無線部２１０Ａを介して、携帯電話機１００Ａからタイマー設定情報を受信し、タイマー設定情報記憶部２５２に記憶する（Ｓ４０３）。
【０１９５】
ここで、携帯電話機１００Ａにおいてタイマー設定が変更されることにより、携帯電話機１００Ａから、さらに変更されたタイマー設定情報が送信された場合（Ｓ４０４においてＹＥＳ）、変更後のタイマー設定情報をタイマー設定情報記憶部２５２に再度記憶する（Ｓ４０３）。
【０１９６】
その後、通信検知部２３１は、携帯電話機１００Ａおよび補聴器２００Ａの間の通信リンクが切断されたか否かを継続的に監視する（Ｓ４０４）。
【０１９７】
通信検知部２３１が、通信リンクの切断を検知すると（Ｓ４０４においてＹＥＳ）、判定部２３２が、連動設定情報記憶部２５１から連動設定情報を読み出して、連動設定情報が“全て”であるか否かを判定する（Ｓ４０６）。
【０１９８】
連動設定情報に“全て”が設定されていた場合（Ｓ４０６においてＹＥＳ）、判定部２３２は、制御指示部２３４に電源ＯＦＦの指示を出すよう要求し、これに応じて制御指示部２３４が電源ＯＦＦの指示を電源制御部２１１に送信することにより、電源供給ラインＢに対する電源供給が停止される（Ｓ４０８）。
【０１９９】
一方、連動設定情報に“全て”が設定されていない場合（Ｓ４０６においてＮＯ）、すなわち、連動設定情報に“タイマー設定のみ”が設定されている場合、判定部２３２は、タイマー部２４０から現時時刻を取得し、現在時刻と、タイマー設定情報が示す予定時刻とを比較する（Ｓ４０７）。
【０２００】
比較の結果、現在時刻と、タイマー設定情報が示す予定時刻とがほぼ同じであれば（Ｓ４０７においてＹＥＳ）、判定部２３２は、制御指示部２３４に電源ＯＦＦの指示を出すよう要求し、これに応じて制御指示部２３４が電源ＯＦＦの指示を電源制御部２１１に送信することにより、電源供給ラインＢに対する電源供給が停止される（Ｓ４０８）。
【０２０１】
一方、比較の結果、現在時刻と、タイマー設定情報が示す予定時刻とがほぼ同じでなければ（Ｓ４０７においてＮＯ）、そのまま補聴器２００Ａは、電源ＯＮの状態を維持する（Ｓ４０９）。
【０２０２】
（携帯電話機および補聴器の間の通信シーケンス）
次に、図１３を用いて、携帯電話機１００Ａの近距離無線部１０２と、補聴器２００Ａの近距離無線部２１０Ａとの間の通信シーケンスについて説明すると、次のとおりである。図１３は、携帯電話機１００Ａおよび補聴器２００Ａの間の通信シーケンスについて示したシーケンス図である。なお、図１３に示す例は、通信方式にＢｌｕｅｔｏｏｔｈ（登録商標）を採用した場合について示している。
【０２０３】
図１３に示すように、まず、携帯電話機１００Ａの近距離無線部１０２から、補聴器２００Ａの近距離無線部２１０Ａに対して呼び出しを行うと（ＳＥＱ２０１）、これに対して、補聴器２００Ａの近距離無線部２１０Ａが応答する（ＳＥＱ２０２）。
【０２０４】
続いて、携帯電話機１００Ａの近距離無線部１０２と、補聴器２００Ａの近距離無線部２１０Ａとの間で認証処理が行われる（ＳＥＱ２０３）。認証処理が成功すると携帯電話機１００Ａの近距離無線部１０２と、補聴器２００Ａの近距離無線部２１０Ａとの間で接続処理が行われ（ＳＥＱ２０４）、これにより両者間における通信リンクが確立される（ＳＥＱ２０５）。
【０２０５】
通信リンクが確立されると、携帯電話機１００Ａは、近距離無線部１０２を介して、タイマー設定情報を補聴器２００Ａに送信する（ＳＥＱ２０６）。これに対して補聴器２００Ａは、近距離無線部２１０Ａを介して、タイマー設定情報を受信した旨の応答を携帯電話機１００Ａに返す（ＳＥＱ２０７）。
【０２０６】
以下、通信リンクの確立中において、タイマー設定情報を変更した場合には、携帯電話機１００Ａは、近距離無線部１０２を介して、変更後のタイマー設定情報を補聴器２００Ａに送信し（ＳＥＱ２０８）、これに対して、補聴器２００Ａは、近距離無線部２１０Ａを介して、タイマー設定情報を受信した旨の応答を携帯電話機１００Ａに返す（ＳＥＱ２０９）。
【０２０７】
携帯電話機１００Ａの近距離無線部１０２から切断コマンドが、補聴器２００Ａに送信されると（ＳＥＱ２１０）、補聴器２００Ａは、近距離無線部２１０Ａを介して、切断コマンドを受信した旨の応答を送信する（ＳＥＱ２１１）。
【０２０８】
その後、両者間の通信リンクは切断される（ＳＥＱ２１２）。
【０２０９】
（作用・効果）
以上のように、本実施形態に係る電源制御装置２６０は、電源供給ラインＢに供給する電源制御装置２６０が、通信機能を有する携帯電話機１００Ａとの通信が確立または切断されたことを検知する近距離無線部２１０Ａと、携帯電話機１００Ａとの通信の確立または切断が検知された時刻と、該他の電気機器から予め通知された通信の確立予定時刻または切断予定時刻とを比較した結果に応じて、電源供給ラインＢに対する電源供給の開始または停止を行う電源制御部２１１と、を備える構成である。
【０２１０】
携帯電話機１００Ａとの通信が切断された場合、携帯電話機１００Ａが電源ＯＦＦ状態となったと考えることができる。
【０２１１】
上記構成によれば、携帯電話機１００Ａとの通信が切断された場合、当該通信の切断が予定されていたものであれば、補聴器２００Ａは電源ＯＦＦ状態になる。
【０２１２】
一方、当該通信の切断が予定されたものでなければ補聴器２００Ａは、電源ＯＮ状態のままである。
【０２１３】
通信の切断が予定されていたものであれば、通信の切断は、携帯電話機１００Ａが、タイマー設定により電源ＯＦＦとなったと判断することができる。
【０２１４】
この場合、タイマー設定の時刻を、利用者の活動終了の時刻と考えて、補聴器２００Ａを電源ＯＦＦとすることができる。これにより、補聴器２００Ａの電源ＯＦＦ操作の手間を省くことができるとともに、利用者が使用しない間に補聴器２００Ａにおいて電池が浪費されることを防ぐことができる。
【０２１５】
一方、通信の切断が予定されたものでなければ、通信の切断は、携帯電話機１００Ａが、タイマー設定以外の理由により電源ＯＦＦとなったと判断することができる。
【０２１６】
つまり、病院など携帯電話機１００Ａを電源ＯＦＦ状態にすることが要求される施設内で携帯電話機１００Ａが手動により電源ＯＦＦとなったと判断することができる。このような場合でも、補聴器２００Ａは電源ＯＮのままであるので、普通の会話に支障が生じないという効果を得られる。
【０２１７】
〔実施形態３〕
本発明のさらに他の実施形態について図１４〜図１６に基づいて説明すれば、以下のとおりである。なお、説明の便宜上、既に説明した図面と同じ機能を有する部材については、同じ符号を付記し、その説明を省略する。
【０２１８】
（システムの構成）
まず、図１４を用いて、本実施形態に係る電源連動システム３の概要について説明する。図１４に示すように電源連動システム３は、照明機器セット３００および補聴器２００を備える構成である。また、照明機器セット３００は、照明機器（電気機器）３０１と、照明機器３０１を操作するためのリモートコントローラ（以下、リモコンと略称する）３１０とを含む構成である。
【０２１９】
ここで、再び図５を用いて、照明機器セット３００の照明機器３０１および補聴器２００の連動設定について説明すると次のとおりである。
【０２２０】
電源連動システム３では、照明機器セット３００の照明機器３０１が連動元機器であり、補聴器２００が連動先機器である。
【０２２１】
電源連動システム３では、図５の『ＯＦＦ設定２』に示す内容で照明機器３０１の電源ＯＦＦと、補聴器２００の電源ＯＦＦとが連動している。すなわち、電源連動システム３は、照明機器３０１が手動により電源ＯＮから電源ＯＦＦになった場合、補聴器２００が電源ＯＮから電源ＯＦＦとなる構成である。
【０２２２】
以下では、『ＯＦＦ設定２』を実現するための照明機器セット３００の構成についてれ説明する。なお、補聴器２００の構成については、図２を用いて説明したとおりであるので、その説明を省略する。
【０２２３】
図１４を用いて、照明機器セット３００に含まれる照明機器３０１およびリモコン３１０の構成について説明する。図１４に示すように、照明機器３０１は、近距離無線部３０２、受信部３２１、スイッチ３２２、タイマー部３２３、電源制御部３２４、電源回路３２５、インバータ回路３２６、主制御部３３０、記憶部３５０を備える構成である。
【０２２４】
近距離無線部３０２、タイマー部３２３、電源制御部３２４、それぞれ、図２において示した近距離無線部１０２、タイマー部１２３、電源制御部１２４に対応しているので、ここでは、その説明を省略する。
【０２２５】
受信部３２１は、リモコン３１０から送信される光操作信号を受信するためのものである。照明機器３０１の電源ＯＮおよび電源ＯＦＦ等の各種操作は、利用者がリモコン３１０を操作することにより行うことができる。
【０２２６】
スイッチ３２２は、電源回路３２５における家庭用電源との接続を切り替えるためのものである。
【０２２７】
電源回路３２５は、家庭用電源からの電源供給を受けるためのものである。
【０２２８】
インバータ回路３２６は、電源供給を受けることにより照明機器３０１のランプ（不図示）を点灯するためのものである。
【０２２９】
主制御部３３０は、照明機器３０１の各種構成を統括的に制御するものであり、記憶部３５０は、照明機器３０１で用いられる各種データおよびプログラムを記憶するものである。これらの詳細については、以下に説明する。
【０２３０】
また、図１４に示すように、リモコン３１０は、電源キー３１２を含むキー３１１および送信部３１３を備える構成である。
【０２３１】
キー３１１に含まれる電源キー３１２を押下することにより電源ＯＮ／ＯＦＦを切り替えるための光操作信号を、送信部３１３を介して送信することができる。
【０２３２】
送信部３１３は、キー３１１における操作に応じて、赤外線などによる光操作信号を受信部３２１に送信するためのものである。
【０２３３】
（照明機器の詳細構成）
次に、図１５を用いて、照明機器３０１が備える主制御部３３０および記憶部３５０についてさらに詳しく説明する。図１５は、照明機器３０１の主制御部３３０および記憶部３５０の機能的構成を示す機能ブロック図である。
【０２３４】
図１５に示すように、記憶部３５０は、電源ＯＦＦ設定記憶部３５１およびタイマー設定情報記憶部１５２を備える構成である。
【０２３５】
電源ＯＦＦ設定記憶部３５１は、補聴器２００と電源ＯＦＦを連動させるべきイベントの種類を示すイベント種別を記憶するものである。
【０２３６】
照明機器３０１における電源ＯＦＦイベントの種類としては、例えば、次の３つが考えられえる。
【０２３７】
まず、電源キー３１２が押されたことによる“電源キーイベント”である。そして、タイマー部３２３に設定されている電源ＯＦＦ予定時刻になったことによる“電源ＯＦＦタイマー設定イベント”である。最後に、スイッチ３２２を操作したことによる“スイッチ操作イベント”である。
【０２３８】
なお、３つのイベントすべてに補聴器２００との電源ＯＦＦを連動させるべきである場合は、電源ＯＦＦ設定記憶部３５１には、イベント種別として、“全て”が記憶される。
【０２３９】
また、電源ＯＦＦ設定記憶部３５１に設定されるイベント種別の初期設定は、例示的に“電源ＯＦＦタイマー設定イベント以外のイベント”としている。これは、言いかえれば、“電源キーイベント”および“スイッチ操作イベント”がイベント種別の初期設定として設定されているともいえる。
【０２４０】
また、電源ＯＦＦ設定記憶部３５１では、イベント種別として、“電源キーイベント”または“全て”のみが、択一的に設定できるようになっていてもよい。
【０２４１】
タイマー設定情報記憶部３５２は、上記タイマー設定情報記憶部１５２と同様であるのでその説明を省略する。
【０２４２】
また、図１５に示すように、主制御部３３０は、より詳細には、イベント検知部（指示検知手段）３３１、判定部３３２、コマンド送信部（指示送信手段）３３３、制御指示部３３４、および設定部３３５を備える構成である。
【０２４３】
イベント検知部３３１は、電源ＯＦＦイベントを検知するものである。例えば、イベント検知部３３１は、電源キー３１２が押されたことによる“電源キーイベント”を検知する。また、イベント検知部３３１は、タイマー部３２３に設定されている電源ＯＦＦ予定時刻になったことによる“電源ＯＦＦタイマー設定イベント”を検知する。さらには、イベント検知部３３１は、スイッチ３２２を操作したことによる“スイッチ操作イベント”を検知する。
【０２４４】
イベント検知部３３１は、電源ＯＦＦイベントを検知すると、電源ＯＦＦイベントを検知した旨およびその電源ＯＦＦイベントのイベント種別を判定部３３２に通知する。
【０２４５】
判定部３３２は、イベント検知部３３１からの通知に応じて、その電源ＯＦＦイベントのイベント種別が、補聴器２００と電源ＯＦＦを連動させるべきものか否かを判定するものである。
【０２４６】
コマンド送信部３３３、制御指示部３３４、および設定部３３５は、それぞれ、上述のコマンド送信部１３３、制御指示部１３４、および設定部１３５と同様であるので、その説明を省略する。
【０２４７】
（照明機器における処理の流れ）
次に、図１６を用いて、照明機器３０１における電源連動処理の流れについて説明する。図１６は、照明機器３０１における電源連動処理の流れについて示したフローチャートである。
【０２４８】
図１６に示すように、まず、照明機器３０１において、予め、電源ＯＦＦ設定記憶部１５１にイベント種別が設定される（Ｓ５０１）。この設定は、スイッチ３２２において、操作部（不図示）を設けて、操作部における操作によって“電源ＯＦＦタイマー設定イベント以外のイベント”または“全て”のイベント種別が設定可能となっていてもよい。また、リモコン３１０のキー３１１から設定可能となっていてもよい。
【０２４９】
イベント検知部３３１が電源ＯＦＦイベントを検知すると（Ｓ５０２）、判定部３３２が、電源ＯＦＦ設定記憶部３５１に記憶されているイベント種別が“全て”であるか否かを判定する（Ｓ５０３）。
【０２５０】
判定の結果、イベント種別が“全て”でない場合（Ｓ５０３においてＮＯ）、判定部３３２は、さらに電源ＯＦＦイベントのイベント種別が“電源ＯＦＦタイマー設定イベント以外のイベント”であるか否かを判定する（Ｓ５０４）。
【０２５１】
判定の結果、電源ＯＦＦイベントのイベント種別が“電源ＯＦＦタイマー設定イベント以外のイベント”である場合（Ｓ５０４においてＹＥＳ）、判定部３３２は、検知された電源ＯＦＦイベントが電源ＯＦＦを連動させるべきイベントであると判定する。そして、判定部３３２は、コマンド送信部３３３にその旨の通知を行う一方、制御指示部３３４に電源ＯＦＦの指示を要求する。
【０２５２】
その後、コマンド送信部３３３は、上記通知に応じて、近距離無線部３０２を介して補聴器２００に電源ＯＦＦコマンドを送信する（Ｓ５０５）。
【０２５３】
そして、制御指示部３３４が、補聴器２００からの電源ＯＦＦの応答を確認すると（Ｓ５０６）、タイマー部３２３において自動電源ＯＮ時刻が設定された後（Ｓ５０７）、制御指示部３３４が、判定部３３２の要求に応じて、電源制御部３２４に電源ＯＦＦの指示を行う（Ｓ５０８）
一方、判定の結果、電源ＯＦＦイベントのイベント種別が、“電源ＯＦＦタイマー設定イベント以外のイベント”でない場合（Ｓ５０４においてＮＯ）、すなわち、“電源ＯＦＦタイマー設定イベント”である場合、判定部３３２が、制御指示部３３４に電源ＯＦＦの指示を要求し、その後、制御指示部３３４が、判定部３３２の要求に応じて、電源制御部３２４に電源ＯＦＦの指示を行う（Ｓ５０８）。
【０２５４】
なお、Ｓ５０３において、電源ＯＦＦ設定記憶部３５１に記憶されているイベント種別が“全て”である場合、照明機器３０１では、上述のＳ５０５〜Ｓ５０８の処理が実行される。
【０２５５】
補聴器２００における電源連動処理の流れについては、図７を用いて説明したものに準じているのでその説明を省略する。また、照明機器セット３００および補聴器２００の間の通信シーケンスについても図８を用いて説明したものに準じているのでその説明を省略する。
【０２５６】
（作用・効果）
上記構成によれば、照明機器３０１が、タイマー設定により電源ＯＦＦになったときでも、補聴器２００に電源ＯＦＦコマンドを送信しないので、補聴器２００は電源ＯＦＦにならない。
【０２５７】
一方で、照明機器３０１が、手動により電源ＯＦＦになったときは、補聴器２００に電源ＯＦＦコマンドを送信するので、補聴器２００は電源ＯＦＦ状態となる。
【０２５８】
照明機器３０１において、予め設定した時刻に自動的に電源ＯＦＦ状態にするような場合でも、直ちに利用者が活動を終了しないこともある。タイマー設定以外の手法、例えば、手動により照明機器３０１を電源ＯＦＦにする場合のほうが、利用者が活動終了の意思を示していると判断できる場合もある。
【０２５９】
照明機器３０１において、タイマー設定により電源ＯＦＦとなるよりも、利用者の操作に起因する動作（例えば利用者による手動操作）により電源ＯＦＦとなるほうが、より利用者の活動終了（例えば、夜寝る）の意思を示していると判断できる場合には、照明機器３０１が、タイマー設定以外の手法により電源ＯＦＦとなったことにより、利用者が活動終了したと判断できる。利用者が活動終了すれば、補聴器２００も使用されなくなることが考えられる。
【０２６０】
よって、照明機器３０１が、タイマー設定以外の手法により電源ＯＦＦとなったときに、補聴器２００の電源ＯＦＦを連動させることが望ましい。
【０２６１】
上記構成によれば、一方の機器において、より利用者による活動終了の意思を示していると判断できる操作に応じて電源ＯＦＦとなったときに、他方の機器を電源ＯＦＦとすることで、電源の切り忘れを防止できるとともに、利用者の意に反して他の機器が電源ＯＦＦ状態となることを防ぐことができる。
【０２６２】
具体的には、照明機器３０１における電源ＯＦＦが、タイマー設定等によりスケジュールされたものであるとき、補聴器２００に電源ＯＦＦコマンドを送信しないので、タイマー設定によって照明機器３０１の電源ＯＦＦにともない、利用者が音楽を聴いたり、テレビを見たりするのに支障が出てしまうことを防ぐことができる。
【０２６３】
なお、上記の説明において、照明機器３０１では、“電源キーイベント”、“電源ＯＦＦタイマー設定イベント”、および“スイッチ操作イベント”の３つを電源ＯＦＦイベントとしていたが、照明機器３０１に、さらに明るさセンサーを設けて、明るさに応じた電源がＯＮ／ＯＦＦを電源ＯＦＦイベントとして検知してもよい。この場合、照明機器３０１では、センサーの周囲が、（例えば日中屋外から差し込む光によって）明るいときには、電源ＯＦＦ状態となり、暗いときには、電源ＯＮとなる。
【０２６４】
〔実施形態４〕
本発明のさらに他の実施形態について図１７〜図２０に基づいて説明すれば、以下のとおりである。なお、説明の便宜上、既に説明した図面と同じ機能を有する部材については、同じ符号を付記し、その説明を省略する。
【０２６５】
（システムの構成）
まず、図１７を用いて、本実施形態に係る電源連動システム３Ａの概要について説明する。電源連動システム３Ａは、照明機器３０１Ａの電源ＯＮ／ＯＦＦを補聴器２００Ｂに設けた光センサーにより検知し、これに応じて補聴器２００Ｂの電源ＯＮ／ＯＦＦを制御する構成である。
【０２６６】
図１７に示すように電源連動システム３Ａは、照明機器セット３００Ａおよび補聴器２００Ｂを備える構成である。また、照明機器セット３００Ａは、照明機器３０１Ａと、照明機器３０１Ａを操作するためのリモコン３１０とを含む構成である。
【０２６７】
照明機器３０１Ａと、補聴器２００Ｂとの連動設定は、図５に示した『ＯＦＦ設定２』に示すとおりであり、これについては既に説明したとおりであるので、その説明を省略する。
【０２６８】
また、電源連動システム３Ａにおいても、上述の電源連動システム３と同様、照明機器セット３００Ａの照明機器３０１Ａが連動元機器であり、補聴器２００Ｂが連動先機器である。
【０２６９】
まず、図１７を参照しながら、照明機器３０１Ａの構成について説明すると次のとおりである。
【０２７０】
照明機器３０１Ａは、図１４で示した照明機器３０１において、近距離無線部３０２を取り除くとともに、主制御部３３０および記憶部３５０を、それぞれ主制御部３３０Ａおよび記憶部３５０Ａに置き換えた構成である。
【０２７１】
記憶部３５０Ａには、上述したタイマー設定情報が記憶される。
【０２７２】
主制御部３３０Ａは、電源ＯＦＦイベントを検出し、これに応じて、電源制御部３２４に電源ＯＦＦの指示を行う。
【０２７３】
また、主制御部３３０Ａは、主制御部３３０の設定部３３５と同等の機能を備える。すなわち、主制御部３３０Ａは、タイマー設定を行うことができる。また、主制御部３３０Ａは、記憶部３５０Ａのタイマー設定情報を設定・更新することができる。
【０２７４】
（補聴器の構成）
図１７を参照しながら、さらに、補聴器２００Ｂの構成について説明すると次のとおりである。
【０２７５】
補聴器２００Ｂは、上述の補聴器２００において、近距離無線部２１０を取り除き、主制御部２３０Ａ、タイマー部２４０、および記憶部２５０Ａ、明るさ検知部２７０をさらに追加した構成である。
【０２７６】
また、電源供給ラインＢは、音声増幅部（聴覚補助部）２２２、デジタル変換／イコライザ処理／信号処理部（聴覚補助部）２２３、およびアナログ変換／可変増幅部（聴覚補助部）２２４に加えて、主制御部２３０Ａおよび記憶部２５０Ａにも接続される。
【０２７７】
また、電源供給ラインＡは、タイマー部２４０および明るさ検知部２７０に接続される。
【０２７８】
別の側面から見れば、補聴器２００Ｂは、音声増幅部２２２、デジタル変換／イコライザ処理部／信号処理部２２３、およびアナログ変換／可変増幅部２２４と接続された電源供給ラインＢに供給する電源を制御する電源制御装置２６０Ａを備える構成である。
【０２７９】
電源制御装置２６０Ａは、電源制御部２１１、主制御部２３０Ａ、タイマー部２４０、記憶部２５０Ａ、および明るさ検知部２７０を備える構成である。
【０２８０】
主制御部２３０Ａは、補聴器２００Ａにおける電源連動処理を統括的に制御するものであり、記憶部２５０Ａは、各種データおよびプログラムを記憶するものである。主制御部２３０Ａおよび記憶部２５０Ａの詳細については後述する。
【０２８１】
明るさ検知部２７０は、補聴器２００Ｂの周辺の明るさを検知するためのものである。明るさ検知部２７０は、検知結果から明るさデータを生成して、生成した明るさデータを主制御部２３０Ａに送信する。
【０２８２】
（補聴器の詳細構成）
次に、図１８を用いて、補聴器２００Ｂが備える主制御部２３０Ａおよび記憶部２５０Ａについてさらに詳しく説明する。図１８は、補聴器２００Ｂの主制御部２３０Ａおよび記憶部２５０Ａの機能的構成を示す機能ブロック図である。
【０２８３】
図１８に示すように、記憶部２５０Ａは、タイマー設定情報記憶部２５２、連動設定情報記憶部２５１Ａ、および消灯判断情報記憶部２５５を備える構成である。
【０２８４】
連動設定情報記憶部２５１Ａは、照明機器３０１Ａが電源ＯＦＦとなったと判断できるとき、補聴器２００Ｂもこれに連動して電源ＯＦＦとすべきか否かを示す連動設定情報を記憶するものである。連動設定情報としては、“全て”、または、“電源ＯＦＦタイマー設定イベント以外のイベント”を設定することができる。
【０２８５】
消灯判断情報記憶部２５５は、照明機器３０１Ａが消灯したか否かを判断するための条件を示す消灯判断情報を記憶する。
【０２８６】
消灯判断情報は、具体的には、明るさデータが示す値の明るさ閾値、明るさデータが示す値が閾値以下である期間の期間閾値、および時間帯情報を含む。
【０２８７】
明るさ閾値は、補聴器２００Ｂの周囲が明るいか、それとも暗いかを判定するための閾値である。
【０２８８】
期間閾値は、補聴器２００Ｂの周囲が暗い場合、その補聴器２００Ｂの周囲が暗い状態が所定期間継続しているか否かを判定するための閾値である。期間閾値には、例えば、“５分”といった所定の時間を示す値を設定しておく。
【０２８９】
時間帯情報は、現在時間が、夜の時間帯に該当するか、それとも夜以外の他の時間帯に該当するかを判定するため情報である。時間帯情報には、例えば、“夜１８時から、翌朝５：００”が「夜」の時間帯に該当することを示す情報を格納しておく。
【０２９０】
なお、タイマー設定情報記憶部２５２は、図１０を用いて示したものと同様である。タイマー設定情報記憶部２５２に記憶されるタイマー設定情報は、図１０に示す補聴器２００Ａのように、近距離無線通信を介して照明機器３０１Ａから取得する構成であってもよいし、補聴器２００Ｂ側で設定可能になっていてもよい。
【０２９１】
また、図１８に示すように、主制御部２３０Ａは、消灯判断部（状況検知手段、動作判断手段）２３６、判定部２３２および制御指示部２３４を備える構成である。
【０２９２】
消灯判断部２３６は、照明機器３０１Ａが消灯したか否かを判断するものである。消灯判断部２３６は、タイマー部２４０から現在時刻を、明るさ検知部２７０から明るさデータをそれぞれ取得するとともに、消灯判断情報記憶部２５５から消灯判断情報を読み出して、これら現在時刻、明るさデータ、および消灯判断情報をもとに、照明機器３０１Ａが消灯したか否かを判断する。
【０２９３】
より具体的には、消灯判断部２３６は、明るさデータおよび現在時刻を取得すると、消灯判断情報記憶部２５５から消灯判断情報を読み出す。
【０２９４】
そして、消灯判断部２３６は、消灯判断情報に基づいて、明るさデータおよび現在時刻が条件に合致するか否かを判定することにより、照明機器３０１Ａが消灯しているか否かを判断する。
【０２９５】
すなわち、消灯検知部２３６は、（１）明るさデータが示す明るさが、消灯判断情報に含まれる明るさ閾値以下である、（２）明るさデータが示す明るさが明るさ閾値以下となっている期間が、消灯判断情報に含まれる期間閾値以上、および（３）現在時刻が、消灯判断情報に含まれる時間帯情報に指定されている時間帯である、の３つの条件すべてを満たしている場合、照明機器３０１Ａが消灯状態であると判断する。一方、消灯判断部２３６は、これら３つの条件のうち、１つでも、満たしていなければ、照明機器３０１Ａが消灯状態であるとは判断しない。
【０２９６】
なお、消灯判断部２３６が、上記（１）の条件に加えて、上記（２）、（３）の条件を判定するのは、より精度良く照明機器３０１Ａの消灯状態の判断を行うためである。すなわち、上記（２）の条件は、偶然、補聴器２００Ｂが影となることにより、明るさ検知部２７０が検知する明るさが低い値となっても、照明機器３０１Ａが消灯したと判断しないようにするために設けている。また、上記（３）の条件は、昼間の間は、照明機器３０１Ａが消灯したとしても、利用者は補聴器２００Ｂを継続して利用すると考えられるため、このような場合照明機器３０１Ａが消灯したと判断しないように設けている。
【０２９７】
消灯判断部２３６は、照明機器３０１Ａが消灯状態であると判断した場合、判定部２３２に対して照明機器３０１Ａが消灯状態と判断できる旨を通知する。
【０２９８】
なお、判定部２３２は、消灯判断部２３６が、消灯状態と判断した場合、補聴器２００Ａを電源ＯＦＦとすべきか否かを判定する。それ以外の動作・機能については、すでに説明したとおりであるのでその説明を省略する。制御指示部２３４も同様である。
【０２９９】
（照明機器における処理の流れ）
次に、図１９を用いて、照明機器３０１Ａにおける電源制御処理の流れについて説明する。図１９は、照明機器３０１Ａにおける電源制御処理の流れについて示したフローチャートである。
【０３００】
図１９に示すように、まず、照明機器３０１Ａでは、主制御部３３０Ａが電源ＯＦＦのイベントを検知する（Ｓ５１１）。主制御部３３０Ａが検知する電源ＯＦＦのイベントには、“電源ＯＦＦタイマー設定イベント”、“電源キーイベント”および“スイッチ操作イベント”が含まれる。
【０３０１】
続いて、主制御部３３０Ａは、電源ＯＦＦのイベントが、“スイッチ操作イベント”であるかどうかを判定する（Ｓ５１２）。
【０３０２】
ここで、電源ＯＦＦのイベントが、“スイッチ操作イベント”である場合（Ｓ５１２においてＹＥＳ）、主制御部３３０Ａは、そのまま電源制御部３２４に電源ＯＦＦの指示を行う（Ｓ５１６）。
【０３０３】
一方、電源ＯＦＦのイベントが、“スイッチ操作イベント”でない場合（Ｓ５１２においてＮＯ）、主制御部３３０Ａは、さらに電源ＯＦＦのイベントが“電源キーイベント”であるか否かを判定する（Ｓ５１３）。
【０３０４】
ここで、電源ＯＦＦのイベントが、“電源キーイベント”でない場合（Ｓ５１３においてＮＯ）、タイマー部３２３において自動電源ＯＮ時刻が設定された後（Ｓ５１５）、主制御部３３０Ａは、電源制御部３２４に電源ＯＦＦの指示を行う（Ｓ５１６）
一方、電源ＯＦＦのイベントが、“電源キーイベント”である場合（Ｓ５１３においてＹＥＳ）、主制御部３３０Ａは、さらに電源ＯＦＦのイベントが“電源ＯＦＦタイマー設定イベント”である否かを判定する（Ｓ５１４）。
【０３０５】
電源ＯＦＦのイベントが“電源ＯＦＦタイマー設定イベント”である場合（Ｓ５１４においてＹＥＳ）、主制御部３３０Ａは、電源制御部３２４に電源ＯＦＦの指示を行う（ＳＳ５１６）。
【０３０６】
一方、電源ＯＦＦのイベントが“電源ＯＦＦタイマー設定イベント”である場合（Ｓ５１４においてＮＯ）、タイマー部３２３において自動電源ＯＮ時刻が設定された後（Ｓ５１５）、主制御部３３０Ａは、電源制御部３２４に電源ＯＦＦの指示を行う（Ｓ５１６）
（補聴器における処理の流れ）
次に、図２０を用いて、補聴器２００Ｂにおける電源連動処理の流れについて説明する。図２０は、補聴器２００Ｂにおける電源連動処理の流れについて示したフローチャートである。
【０３０７】
図２０に示すように、補聴器２００Ｂでは、消灯判断部２３６が、明るさ検知部２７０から明るさデータ、タイマー部２４０から現在時刻をそれぞれ取得する（Ｓ４１１）。
【０３０８】
そして、消灯判断部２３６が消灯判断情報記憶部２５５から消灯判断情報を読み出し、明るさデータおよび現在時刻が、消灯判断情報に指定されている条件に合致するか否かを判定する（Ｓ４１２）。
【０３０９】
すなわち、消灯判断部２３６は、（１）明るさデータが示す明るさが、消灯判断情報に含まれる明るさ閾値以下である、（２）明るさデータが示す明るさが明るさ閾値以下となっている期間が、消灯判断情報に含まれる期間閾値以上、および（３）現在時刻が、消灯判断情報に含まれる時間帯情報に指定されている時間帯である、の３つの条件すべてを満たしているか否かを判定する。
【０３１０】
ここで、消灯判断部２３６が上記３つの条件をすべて満たしていないと判定した場合（Ｓ４１２においてＮＯ）、処理はＳ４１１に戻る。
【０３１１】
一方、消灯判断部２３６が上記３つの条件をすべて満たしていると判定した場合（Ｓ４１２においてＹＥＳ）、消灯判断部２３６は、判定部２３２に照明機器３０１Ａが消灯状態と判断できる旨を通知し、これに応じて、判定部２３２が、連動設定情報記憶部２５１Ａから連動設定情報を読み出して、連動設定情報が“全て”であるか否かを判定する（Ｓ４１３）。
【０３１２】
連動設定情報に“全て”が設定されていた場合（Ｓ４１３においてＹＥＳ）、判定部２３２は、制御指示部２３４に電源ＯＦＦの指示を出すよう要求し、これに応じて制御指示部２３４が電源ＯＦＦの指示を電源制御部２１１に送信することにより、電源供給ラインＢに対する電源供給が停止される（Ｓ４１５）。
【０３１３】
一方、連動設定情報に“全て”が設定されていない場合（Ｓ４１３においてＮＯ）、すなわち、連動設定情報に“電源ＯＦＦタイマー設定イベント以外のイベント”が設定されている場合、判定部２３２は、タイマー部２４０から現時時刻を取得し、現在時刻と、タイマー設定情報が示す予定時刻とを比較する（Ｓ４１４）。
【０３１４】
比較の結果、現在時刻と、タイマー設定情報が示す予定時刻とがほぼ同じでなければ（Ｓ４１４においてＮＯ）、判定部２３２は、制御指示部２３４に電源ＯＦＦの指示を出すよう要求し、これに応じて制御指示部２３４が電源ＯＦＦの指示を電源制御部２１１に送信することにより、電源供給ラインＢに対する電源供給が停止される（Ｓ４１５）。
【０３１５】
一方、比較の結果、現在時刻と、タイマー設定情報が示す予定時刻とがほぼ同じでなければ（Ｓ４１４においてＮＯ）、そのまま補聴器２００Ａは、電源ＯＮの状態を維持する（Ｓ４１６）。
【０３１６】
（変形例）
上記では、補聴器２００Ｂが明るさ検知部２７０、すなわち明るさセンサーを備える構成であった。しかしながら、これに限られず補聴器２００Ｂにおいて、他のセンサーを備える構成としてもよい。例えば、補聴器２００Ｂにおいて、赤外線を検知するセンサーを設ける構成としてもかまわない。
【０３１７】
また、上記では、照明機器３０１Ａの消灯、すなわち照明機器３０１の電源ＯＦＦに、補聴器２００Ｂの電源ＯＮ／ＯＦＦを連動させる例について説明したが、これに限られず、照明機器３０１Ａの点灯に、補聴器２００Ｂの電源ＯＮ／ＯＦＦを連動させるように構成することも可能である。
【０３１８】
（作用・効果）
補聴器２００Ｂでは、周囲の明るさ等の状況から照明機器３０１Ａが消灯した、すなわち電源ＯＦＦ状態となったと判断する。そして、補聴器２００Ｂは、照明機器３０１Ａが電源ＯＦＦ状態となったと判断できる場合、電源ＯＦＦ状態がタイマー設定により予定されていたものであるか否かを判定することにより、電源供給ラインＢへの電源供給を停止するか否かを制御する。
【０３１９】
上記構成によれば、一方の機器において、より利用者による活動終了の意思を示していると判断できる操作に応じて電源ＯＦＦとなったときに、他方の機器を電源ＯＦＦとすることで、電源の切り忘れを防止できるとともに、利用者の意に反して他の機器が電源ＯＦＦ状態となることを防ぐことができる。
【０３２０】
つまり、図１４〜図１６を用いて説明した電源連動システム３と同様の作用・効果を得ることができる。
【０３２１】
また、補聴器２００Ｂが、周囲の状況から照明機器３０１Ａの消灯状態を判断して、これに応じて補聴器２００Ｂを電源ＯＦＦ状態とするか否かを決定するため、照明機器３０１Ａは、補聴器２００Ｂに電源ＯＦＦの指示などをしなくても済む。
【０３２２】
〔実施形態５〕
本発明のさらに他の実施形態について図２１〜図２５に基づいて説明すれば、以下のとおりである。なお、説明の便宜上、既に説明した図面と同じ機能を有する部材については、同じ符号を付記し、その説明を省略する。
【０３２３】
（システムの構成）
まず、図２１を用いて、本実施形態に係る電源連動システム４の概要について説明する。図２１に示すように電源連動システム４は、テレビセット４００および補聴器２００を備える構成である。また、テレビセット４００は、テレビ（電気機器）４０１と、テレビ４０１を操作するためのリモコン４１０とを含む構成である。
【０３２４】
ここで、再び図５を用いて、テレビセット４００のテレビ４０１および補聴器２００の連動設定について説明すると次のとおりである。
【０３２５】
電源連動システム４では、テレビセット４００のテレビ４０１が連動元機器であり、補聴器２００が連動先機器である。
【０３２６】
電源連動システム４では、図５の『ＯＮ設定１』に示す内容でテレビ４０１の電源ＯＦＦと、補聴器２００の電源ＯＦＦとが連動している。すなわち、電源連動システム４は、テレビ４０１がタイマーにより電源ＯＦＦから電源ＯＮになった場合、補聴器２００において電源ＯＦＦから電源ＯＮとなる構成である。さらにいえば、テレビ４０１が手動により電源ＯＦＦから電源ＯＮになった場合には、補聴器２００において電源ＯＦＦから電源ＯＮとならない構成である。
【０３２７】
以下では、『ＯＮ設定１』を実現するためのテレビセット４００および補聴器２００の構成について説明する。
【０３２８】
まず、図２１を用いて、テレビセット４００に含まれるテレビ４０１およびリモコン４１０の構成について説明する。
【０３２９】
図２１に示すように、テレビ４０１は、近距離無線部４０２、受信部４２１、信号入力部４２２、タイマー部４２３、電源制御部４２４、電池４２５、信号処理部４２６、表示部４２７、スピーカ４２８、主制御部４３０、および記憶部４５０を備える構成である。
【０３３０】
近距離無線部４０２、タイマー部４２３、電源制御部４２４、電池４２５は、それぞれ、図２において示した近距離無線部１０２、タイマー部１２３、電源制御部１２４、電池１２５に対応しているので、ここでは、その説明を省略する。
【０３３１】
受信部４２１は、リモコン４１０から送信される光操作信号を受信するためのものである。テレビ４０１の電源ＯＮおよび電源ＯＦＦの操作および番組選択等の各種操作は、利用者がリモコン４１０を操作することにより行うことができる。
【０３３２】
信号入力部４２２は、映像信号、音声信号、および各種情報を伝達するための信号を外部から入力するためのものである。入力元としては、例えば、地上デジタルアンテナチューナーや、接続ケーブルによって接続されたビデオデッキ等の接続機器が挙げられる。
【０３３３】
信号処理部４２６は、信号入力部４２２からの入力信号に対して分離、復号、復号処理等の信号処理を施すものである。信号処理部４２６は、信号処理によって得られた映像信号および音声信号を、それぞれ、表示部４２７およびスピーカ４２８に出力する。
【０３３４】
表示部４２７は、信号処理部４２６から出力される映像信号を表示するためのものである。表示部４２７は、例えば、ＬＣＤ（Liquid Crystal Display）、ＰＤＰ（Plasma Display Panel）、ＥＬ（Electroluminescence）ディスプレイなどの表示装置により実現することができる。
【０３３５】
スピーカ４２８は、信号処理部４２６から出力される音声信号を音波に変換し出力するものである。
【０３３６】
主制御部４３０は、テレビ４０１の各種構成を統括的に制御するものであり、記憶部４５０は、テレビ４０１で用いられる各種データおよびプログラムを記憶するものである。主制御部４３０および記憶部４５０の詳細については後述する。
【０３３７】
また、図２１に示すように、リモコン４１０は、キー４１１および送信部４１３を備える構成である。
【０３３８】
キー４１１は、テレビ４０１におけるチャンネル選択をはじめとする各種操作を行うためのものである。キー４１１は、テレビ４０１における電源ＯＮ／ＯＦＦを操作するための電源キー４１２を含む。
【０３３９】
すなわち、電源キー４１２を押下することによりテレビ４０１を電源ＯＮ状態にするための光操作信号を、送信部４１３を介して、テレビ４０１の受信部４２１に送信することができる。
【０３４０】
送信部４１３は、キー４１１における操作に応じて赤外線などによる光操作信号を、受信部４２１に送信するものである。
【０３４１】
なお、補聴器２００の構成については、図２を用いて説明したものと、ほぼ同様であるが、次の点で異なる。すなわち、近距離無線部２１０は、テレビ４０１の近距離無線部４０２から電源ＯＮコマンドを受信すると、電源制御部２１１に対して電源ＯＮの指示を行う。また、電源制御部２１１は、電源ＯＮの指示を受信して、補聴器２００を電源ＯＦＦの状態から電源ＯＮの状態にする。すなわち、電源制御部２１１は、電源供給ラインＢに対する電源供給を開始する。
【０３４２】
それ以外の補聴器２００の構成については、既に説明したとおりであるのでその説明を省略する。
【０３４３】
（テレビの詳細構成）
次に、図２２を用いて、テレビ４０１が備える主制御部４３０および記憶部４５０についてさらに詳しく説明する。図２２は、テレビ４０１の主制御部４３０および記憶部４５０の機能的構成を示す機能ブロック図である。
【０３４４】
図２２に示すように、記憶部４５０は、電源ＯＮ設定記憶部４５１およびタイマー設定情報記憶部４５２を備える構成である。
【０３４５】
電源ＯＮ設定記憶部４５１は、補聴器２００と電源ＯＮを連動させるべきイベントの種類を示すイベント種別を記憶するものである。
【０３４６】
ここで、イベントとは電源ＯＮが生じる契機となった事象のことである。以下、このような事象のことを電源ＯＮイベントと称する。
【０３４７】
テレビ４０１における電源ＯＮイベントの種類としては、例えば、リモコン４１０の電源キー４１２が押されたことによる“電源キーイベント”およびタイマー部４２３に設定されている電源ＯＮ予定時刻になったことによる“電源ＯＮタイマー設定イベント”などが挙げられる。これ以外の電源ＯＮイベントを“その他のイベント”と称する。
【０３４８】
なお、これらのイベントすべてに補聴器２００との電源ＯＮを連動させるべきである場合は、電源ＯＮ設定記憶部４５１には、イベント種別として、“全て”が記憶される。
【０３４９】
また、電源ＯＮ設定記憶部４５１に設定されるイベント種別の初期設定は、例示的に“電源ＯＮタイマー設定イベント”としている。
【０３５０】
また、電源ＯＮ設定記憶部４５１では、例示的に、イベント種別の設定が“全て”および“電源ＯＮタイマー設定イベント”が択一的に選択されるようになっている。
【０３５１】
タイマー設定情報記憶部４５２は、上記タイマー設定情報記憶部１５２と同様であるのでその説明を省略する。
【０３５２】
また、図２２に示すように、主制御部４３０は、より詳細には、イベント検知部（指示検知手段）４３１、判定部４３２、コマンド送信部（指示送信手段）４３３、制御指示部３３４、および設定部３３５を備える構成である。
【０３５３】
イベント検知部４３１は、電源ＯＮイベントを検知するものである。例えば、イベント検知部４３１は、電源キー４１２が押されたことによる“電源キーイベント”を検知する。また、イベント検知部４３１は、タイマー部４２３に設定されている電源ＯＮ予定時刻になったことによる“電源ＯＮタイマー設定イベント”を検知する。
【０３５４】
イベント検知部４３１は、電源ＯＮイベントを検知すると、電源ＯＮイベントを検知した旨およびその電源ＯＮイベントのイベント種別を判定部４３２に通知する。
【０３５５】
判定部４３２は、イベント検知部４３１からの通知に応じて、その電源ＯＮイベントのイベント種別が、補聴器２００と電源ＯＮを連動させるべきものか否かを判定するものである。
【０３５６】
具体的には、判定部４３２は、イベント検知部４３１から電源ＯＮイベントを検知した旨およびその電源ＯＮイベントのイベント種別の通知を受けると、電源ＯＮ設定記憶部４５１に記憶されているイベント種別を読み出す。そして、判定部４３２は、イベント検知部４３１から通知されるイベント種別が、読み出したイベント種別と合致するか否かを判定する。
【０３５７】
電源ＯＮイベントのイベント種別が、読み出したイベント種別と合致していれば、判定部４３２は、電源ＯＮを連動させるべきイベントと判定する。この場合、判定部４３２は、コマンド送信部４３３にその旨の通知を行うとともに、制御指示部４３４に電源ＯＮの指示を要求する。
【０３５８】
なお、判定部４３２は、読み出したイベント種別が“全て”である場合、どのような電源ＯＮイベントであっても、電源ＯＮを連動させるべきイベントと判定する。
【０３５９】
一方、電源ＯＮイベントのイベント種別が、読み出したイベント種別と合致していなければ、判定部４３２は、制御指示部４３４に電源ＯＮの指示を要求する。
【０３６０】
コマンド送信部４３３は、判定部４３２からの通知を受けた場合、近距離無線部４０２を介して補聴器２００に対して電源ＯＮコマンドを送信するものである。
【０３６１】
制御指示部４３４は、判定部４３２からの要求に応じて、電源制御部４２４に電源ＯＮの指示を行うものである。
【０３６２】
設定部４３５は、キー４１１における操作などにより、タイマー設定情報記憶部４５２に、自動電源ＯＮ時刻情報および自動電源ＯＦＦ時刻情報を記憶したり、タイマー設定情報記憶部４５２に記憶されている自動電源ＯＮ時刻情報または自動電源ＯＦＦ時刻情報を読み出して、タイマー部４２３に電源ＯＮタイマー設定または電源ＯＦＦ設定を行ったりするものである。
【０３６３】
（テレビにおける処理の流れ）
次に、図２３を用いて、テレビ４０１における電源連動処理の流れについて説明する。図２３は、テレビ４０１における電源連動処理の流れについて示したフローチャートである。
【０３６４】
図２３に示すように、まず、テレビ４０１では、イベント検知部４３１が、電源ＯＮイベントを検知する（Ｓ６０１）。
【０３６５】
続いて、判定部４３２が、電源ＯＮ設定記憶部４５１に記憶されているイベント種別が“全て”であるか否かを判定する（Ｓ６０２）。
【０３６６】
判定の結果、イベント種別が“全て”でない場合（Ｓ６０２においてＮＯ）、判定部４３２は、さらに電源ＯＮイベントのイベント種別が“電源キーイベント”であるか否かを判定する（Ｓ６０３）。
【０３６７】
この判定の結果、電源ＯＮイベントのイベント種別が“電源キーイベント”である場合（Ｓ６０３においてＹＥＳ）、判定部４３２は、検知されたイベントが電源ＯＮを連動させるべきイベントでないと判定する。そして、判定部４３２は、制御指示部４３４に電源ＯＮの指示を要求し、その後、制御指示部４３４が、電源制御部４２４に電源ＯＮの指示を行うとともに、タイマー部４２３では自動電源ＯＮ時刻が設定される（Ｓ６０７）。
【０３６８】
一方、この判定の結果、電源ＯＮイベントのイベント種別が“電源キーイベント”でない場合（Ｓ６０３においてＮＯ）、さらに判定部４３２は、電源ＯＮイベントのイベント種別が“電源ＯＮタイマー設定イベント”であるか否かを判定する（Ｓ６０４）。
【０３６９】
ここで、電源ＯＮイベントのイベント種別が“電源ＯＮタイマー設定イベント”である場合（Ｓ６０４においてＹＥＳ）、判定部４３２は、検知された電源ＯＮイベントが電源ＯＮを連動させるべきイベントであると判定する。そして、判定部４３２は、コマンド送信部４３３にその旨の通知を行う一方、制御指示部３３４に電源ＯＮの指示を要求する。
【０３７０】
その後、コマンド送信部４３３は、上記通知に応じて、近距離無線部４０２を介して補聴器２００に電源ＯＮコマンドを送信する（Ｓ６０５）。
【０３７１】
そして、制御指示部４３４が、補聴器２００からの電源ＯＮの応答を確認すると（Ｓ６０６）、タイマー部４２３において自動電源ＯＦＦ時刻が設定される（Ｓ６０７）。また、制御指示部３３４が、判定部４３２の要求に応じて、電源制御部４２４に電源ＯＮの指示を行う。
【０３７２】
一方、ここで、電源ＯＮイベントのイベント種別が“電源ＯＮタイマー設定イベント”でない場合（Ｓ６０４においてＮＯ）、判定部４３２は、検知された電源ＯＮイベントが電源ＯＮを連動させるべきイベントでないと判定する。そして、判定部４３２は、制御指示部４３４に電源ＯＮの指示を要求し、これに応じて制御指示部３３４が、電源制御部３２４に電源ＯＮの指示を行うとともに、タイマー部４２３では自動電源ＯＮ時刻が設定される（Ｓ６０７）。
【０３７３】
なお、Ｓ６０２において、電源ＯＦＦ設定記憶部３５１に記憶されているイベント種別が“全て”である場合、テレビ４０１では、上述のＳ６０５〜Ｓ６０７の処理が実行される。
【０３７４】
（補聴器における処理の流れ）
次に、図２４を用いて、補聴器２００における電源連動処理の流れについて説明する。図２４は、補聴器２００における電源連動処理の流れについて示したフローチャートである。
【０３７５】
図２４に示すように、補聴器２００では、近距離無線部２１０が、テレビ４０１が上述のＳ６０５（図２３）において送信する電源ＯＮコマンドを受信する（Ｓ７０１）。
【０３７６】
続いて、補聴器２００の近距離無線部２１０が、電源ＯＮコマンドを受信した旨の応答をテレビ４０１に送信する（Ｓ７０２）。
【０３７７】
そして、補聴器２００の近距離無線部２１０は、受信した電源ＯＮコマンドを電源制御部２１１に転送すると（Ｓ７０３）、これに応じて、電源制御部２１１は、電源供給ラインＢへの電源供給を開始する（Ｓ７０４）。
【０３７８】
（テレビおよび補聴器の間の通信シーケンス）
次に図２５を用いて、テレビ４０１の近距離無線部４０２と、補聴器２００の近距離無線部２１０との間の通信シーケンスについて説明すると次のとおりである。図２５は、テレビ４０１および補聴器２００の間の通信シーケンスについて示したシーケンス図である。なお、図２５に示す例は、通信方式にＢｌｕｅｔｏｏｔｈ（登録商標）を採用した場合について示している。
【０３７９】
図２５に示すＳＥＱ３０１〜ＳＥＱ３０５は、図８に示したＳＥＱ１０１〜１０５と同様であるので、その説明を省略する。
【０３８０】
続いて、テレビ４０１において所定の電源ＯＮイベントが発生することにより、テレビ４０１の近距離無線部４０２から、補聴器２００の近距離無線部２１０に対して電源ＯＮコマンドが送信される（ＳＥＱ３０６）。
【０３８１】
補聴器２００の近距離無線部２１０は、テレビ４０１の近距離無線部４０２から電源ＯＮコマンドを受信すると、これに応じて電源ＯＮコマンドを受信した旨の応答をテレビ４０１の近距離無線部４０２に返信する（ＳＥＱ３０７）。
【０３８２】
その後、任意のタイミングで、切断コマンドが送信されることにより、テレビ４０１および補聴器２００の間の通信リンクは切断される（ＳＥＱ３０８）。
【０３８３】
（作用・効果）
テレビ４０１と補聴器２００とは共に利用者が起きているときは電源ＯＮ状態にし、寝るときには電源ＯＦＦ状態にするという使い方をする機器である。
【０３８４】
よって、テレビ４０１の電源ＯＮに補聴器２００の電源ＯＮを連動させれば、補聴器２００の電源ＯＮの手間を省くことができる。
【０３８５】
しかしながら、常に連動させることとなると、例えば、利用者がスケジュールしていないタイミングでテレビ４０１が電源ＯＮとなった場合に不都合を生じるおそれがある。
【０３８６】
例えば、タイマー設定ではなく、テレビ４０１が手動により電源ＯＮになった場合、何らかの周囲の状況の変化により、予定されていない動作を他人が行ったと考えられる。この場合、他方の機器がどの様に動作すべきかは、その周囲の状況によって変わる。
【０３８７】
そこで、このような場合、一方の機器の電源ＯＮに他方の機器の電源ＯＮを連動させないで、現状のままに保つことにより、利用者の意に反して他方の機器が電源ＯＮになることを防ぐ。
【０３８８】
上記構成によれば、テレビ４０１が手動により電源ＯＮになっても、テレビ４０１は補聴器２００に電源ＯＮコマンドを送信しないので、補聴器２００は電源ＯＮとならない。
【０３８９】
よって、利用者がもともと起きようとしていてタイマー設定していた時間より早い時間に、家族の誰かが、テレビ４０１を、電源ＯＮ状態にしても、補聴器２００は電源ＯＮ状態にならず、利用者は周囲に邪魔をされず予定時刻まで寝ることが出来る。
【０３９０】
また、上記構成よれば、テレビ４０１がタイマーにより電源ＯＮになると、テレビ４０１は補聴器２００に電源ＯＮコマンドを送信するので、補聴器２００は電源ＯＮ状態になる。よって、利用者の活動開始にともない、補聴器２００を電源ＯＮ状態とすることができ、補聴器２００に対して電源ＯＮ操作する手間を省くことができる。
【０３９１】
なお、図３１を用いて、参考までに従来の電源ＯＮに係る連動設定と対比すると次のとおりである。すなわち、従来、図３１に示す『ＯＮ設定』のように、タイマー設定により電源ＯＮとする場合でも、手動により電源ＯＮする場合でも、区別なく連動先機器が電源ＯＮとなっていた。電源ＯＮ設定記憶部４５１においてイベント種別を“全て”とすればこのような構成もサポート可能である。
【０３９２】
〔実施形態６〕
本発明のさらに他の実施形態について図２６〜図２９に基づいて説明すれば、以下のとおりである。なお、説明の便宜上、既に説明した図面と同じ機能を有する部材については、同じ符号を付記し、その説明を省略する。
【０３９３】
（システムの構成）
まず、図２６を用いて、本実施形態に係る電源連動システム５の概要について説明する。図２６に示すように電源連動システム５は、エアーコンディショナセット（以下、エアコンと略称する）５００および補聴器２００を備える構成である。また、エアコンセット５００は、エアコン（電気機器）５０１と、エアコン５０１を操作するためのリモコン５１０とを含む構成である。
【０３９４】
ここで、再び図５を用いて、エアコンセット５００のエアコン５０１および補聴器２００の連動設定について説明すると次のとおりである。
【０３９５】
電源連動システム５では、エアコンセット５００のエアコン５０１が連動元機器であり、補聴器２００が連動先機器である。
【０３９６】
電源連動システム５では、図５の『ＯＮ設定２』に示す内容でエアコン５０１の電源ＯＮと、補聴器２００の電源ＯＮとが連動している。すなわち、電源連動システム５は、エアコン５０１が手動により電源ＯＦＦから電源ＯＮになった場合、補聴器２００において電源ＯＦＦから電源ＯＮとなる構成である。さらにいえば、エアコン５０１がタイマーにより電源ＯＦＦから電源ＯＮとなった場合には、補聴器２００において電源ＯＦＦから電源ＯＮとならない構成である。
【０３９７】
以下では、『ＯＮ設定２』を実現するためのエアコンセット５００および補聴器２００の構成について説明する。
【０３９８】
まず、図２６を用いて、エアコンセット５００に含まれるエアコン５０１およびリモコン５１０の構成について説明する。
【０３９９】
図２６に示すように、エアコン５０１は、近距離無線部５０２、受信部５２１、タイマー部５２３、電源制御部５２４、電源回路５２５、モーター駆動部５２６、主制御部５３０および記憶部５５０を含む構成である。
【０４００】
受信部５２１は、リモコン５１０から送信される光操作信号を受信するためのものである。エアコン５０１の電源ＯＮおよび電源ＯＦＦの操作および温度設定、運転設定などの各種操作は、利用者がリモコン５１０を操作することにより行うことができる。
【０４０１】
電源回路５２５は、家庭用電源からの電源供給を受けるためのものである。
【０４０２】
モーター駆動部５２６は、エアコン５０１の空調機能を実現するための構成であり、送風器、コンプレッサなどを動作させるためのものである。
【０４０３】
主制御部５３０は、エアコン５０１の各種構成を統括的に制御するものであり、記憶部５５０は、エアコン５０１で用いられる各種データおよびプログラムを記憶するものである。主制御部５３０および記憶部５５０の詳細については後述する。
【０４０４】
また、図２６に示すように、リモコン５１０は、キー５１１および送信部５１３を備える構成である。
【０４０５】
キー５１１は、エアコン５０１における温度設定、運転設定をはじめとする各種操作を行うためのものである。また、キー５１１は、エアコン５０１における電源ＯＮ／ＯＦＦを切り替えるための電源キー５１２を含む。利用者は、電源キー５１２を押下することによってエアコン５０１における電源ＯＮおよび電源ＯＦＦを切り替えるための光操作信号を送信部５１３から、エアコン５０１の受信部５２１に対して送信することができる。
【０４０６】
送信部５１３は、キー５１１における操作に応じて赤外線になどによる光操作信号を、受信部５２１に送信するものである。
【０４０７】
なお、補聴器２００の構成については、図２を用いて説明したものと、ほぼ同様であるが、次の点で異なる。すなわち、近距離無線部２１０は、エアコン５０１の近距離無線部５０２から電源ＯＮコマンドを受信すると、電源制御部２１１に対して電源ＯＮの指示を行う。また、電源制御部２１１は、電源ＯＮの指示を受信して、補聴器２００を電源ＯＦＦの状態から電源ＯＮの状態にする。すなわち、電源制御部２１１は、電源供給ラインＢに対する電源供給を開始する。
【０４０８】
それ以外の補聴器２００の構成については、既に説明したとおりであるのでその説明を省略する。
【０４０９】
（エアコンの詳細構成）
次に、図２７を用いて、エアコン５０１が備える主制御部５３０および記憶部５５０についてさらに詳しく説明する。図２７は、エアコン５０１の主制御部５３０および記憶部５５０の機能的構成について示す機能ブロック図である。
【０４１０】
図２７に示すように、記憶部５５０は、電源ＯＮ設定記憶部５５１およびタイマー設定情報記憶部５５２を備える構成である。
【０４１１】
電源ＯＮ設定記憶部５５１は、図２２を用いて既に説明した電源ＯＮ設定記憶部４５１とほぼ同様であるが、電源ＯＮ設定記憶部５５１に設定されるイベント種別の初期設定が、“電源キーイベント”である点で異なる。
【０４１２】
また、電源ＯＮ設定記憶部５５１では、例示的に、イベント種別の設定が“全て”および“電源キーイベント”が択一的に選択されるようになっている。
【０４１３】
タイマー設定情報記憶部５５２は、上記タイマー設定情報記憶部１５２と同様であるのでその説明を省略する。
【０４１４】
また、図２７に示すように、主制御部５３０は、より詳細には、イベント検知部（指示検知手段）５３１、判定部５３２、コマンド送信部（指示送信手段）５３３、制御指示部５３４、および設定部５３５を備える構成である。
【０４１５】
イベント検知部５３１、判定部５３２、コマンド送信部５３３、制御指示部５３４、および設定部５３５は、それぞれ、図２２で示したイベント検知部４３１、判定部４３２、コマンド送信部４３３、制御指示部３３４、および設定部３３５と対応しているので、その動作については既に説明した通りであるのであるので、その説明を省略する。
【０４１６】
（エアコンにおける処理の流れ）
次に、図２８を用いて、エアコン５０１における電源連動処理の流れについて説明する。図２８は、エアコン５０１における電源連動処理の流れについて示したフローチャートである。
【０４１７】
図２８に示すように、まず、エアコン５０１では、イベント検知部５３１が、電源ＯＮイベントを検知する（Ｓ８０１）。
【０４１８】
続いて、判定部５３２が、電源ＯＮ設定記憶部５５１に記憶されているイベント種別が“全て”であるか否かを判定する（Ｓ８０２）。
【０４１９】
判定の結果、イベント種別が“全て”でない場合（Ｓ８０２においてＮＯ）、判定部５３２は、さらに電源ＯＮイベントのイベント種別が“電源ＯＮタイマー設定イベント”であるか否かを判定する（Ｓ８０３）。
【０４２０】
この判定の結果、電源ＯＮイベントのイベント種別が“電源ＯＮタイマー設定イベント”である場合（Ｓ８０３においてＹＥＳ）、判定部５３２は、検知されたイベントが電源ＯＮを連動させるべきイベントでないと判定する。そして、判定部５３２は、制御指示部５３４に電源ＯＮの指示を要求し、これに応じて制御指示部５３４が、電源制御部５２４に電源ＯＮの指示を行うとともに、タイマー部５２３では自動電源ＯＮ時刻が設定される（Ｓ６０７）。
【０４２１】
一方、この判定の結果、電源ＯＮイベントのイベント種別が“電源ＯＮタイマー設定イベント”で無い場合（Ｓ８０３においてＮＯ）、さらに判定部５３２は、電源ＯＮのイベントのイベント種別が“電源キーイベント”であるか否かを判定する（Ｓ８０４）。
【０４２２】
ここで、電源ＯＮイベントのイベント種別が“電源キーイベント”である場合（Ｓ８０４においてＹＥＳ）、判定部５３２は、検知された電源ＯＮイベントが電源ＯＮを連動させるべきイベントであると判定する。そして、判定部５３２は、コマンド送信部５３３にその旨の通知を行う一方、制御指示部５３４に電源ＯＮの指示を要求する。
【０４２３】
その後、コマンド送信部５３３は、上記通知に応じて、近距離無線部５０２を介して補聴器２００に電源ＯＮコマンドを送信する（Ｓ８０５）。
【０４２４】
そして、制御指示部５３４が、補聴器２００からの電源ＯＮの応答を確認すると（Ｓ８０６）、タイマー部５２３において自動電源ＯＦＦ時刻が設定される（Ｓ８０７）。また、制御指示部５３４が、判定部５３２の要求に応じて、電源制御部５２４に電源ＯＮの指示を行う。
【０４２５】
一方、ここで、電源ＯＮイベントのイベント種別が“電源キーイベント”でない場合（Ｓ８０４においてＮＯ）、判定部５３２は、検知された電源ＯＮイベントが電源ＯＮを連動させるべきイベントでないと判定する。そして、判定部５３２は、制御指示部５３４に電源ＯＮの指示を要求し、これに応じて制御指示部５３４が、電源制御部５２４に電源ＯＮの指示を行うとともに、タイマー部５２３では自動電源ＯＮ時刻が設定される（Ｓ８０７）。
【０４２６】
なお、Ｓ８０２において、電源ＯＮ設定記憶部５５１に記憶されているイベント種別が“全て”である場合、エアコン５０１では、上述のＳ８０５〜Ｓ８０７の処理が実行される。
【０４２７】
また、補聴器２００における電源連動処理の流れについては、図２４を用いて説明したものと同様であるので、その説明を省略する。
【０４２８】
また、エアコン５０１および補聴器２００の間における通信シーケンスは、図２５を用いて説明したとおりであるので、その説明を省略する。
【０４２９】
（作用・効果）
冬の寒い朝にはエアコン５０１のタイマー設定を起床時間に合わせておき、部屋を暖めることが考えられる。しかしながら、エアコン５０１の電源ＯＮとともに、直ちに部屋が暖まるわけではないので、起床しようとする時間の少し前にタイマー設定をすることも考えられる。
【０４３０】
つまり、このような場合、予めスケジュールしたタイマー設定の時間によりエアコン５０１が電源ＯＮとなったことを、利用者の活動開始の意思表示と考えるには早すぎるのである。
【０４３１】
このため、エアコン５０１の電源ＯＮに、補聴器２００の電源ＯＮを連動させると、利用者の眠りを妨げる結果となるおそれがある。また、補聴器２００を電源ＯＦＦにする手間が発生する。さらには、利用者が使用しないにもかかわらず、補聴器２００の電池が浪費されてしまうおそれもある。
【０４３２】
一方で、エアコン５０１を利用者が手動により電源ＯＮにした場合、何らかの都合で利用者が活動開始したと考えられる。すなわち、エアコン５０１を利用者が手動により電源ＯＮにした場合には、利用者の活動開始の意思を示したと判断することができる。
【０４３３】
このため、エアコン５０１の電源ＯＮに、補聴器２００の電源ＯＮを連動させれば、補聴器２００の電源ＯＮ操作の手間が省ける。
【０４３４】
上記構成によれば、エアコン５０１がタイマー設定により電源ＯＮになっても、エアコン５０１が補聴器２００に電源ＯＮコマンドを送信しないので、補聴器２００は、電源ＯＦＦのままである。これにより、利用者が活動開始の意思を示していないにもかかわらず、利用者の意図に反して補聴器２００の電源がＯＮとなり、利用者の行動が妨げられたり、補聴器２００の電源をＯＦＦにする手間が増えたり、することを防ぐことができる。また、補聴器２００が使用されないにもかかわらず、補聴器２００の電池が浪費されてしまうことを防ぐことができる。
【０４３５】
また、エアコン５０１が手動により電源ＯＮになった場合、エアコン５０１が補聴器２００に電源ＯＮコマンドを送信するので、補聴器２００は電源ＯＮになる。
【０４３６】
このため、利用者が、活動開始の意思を示したときに、補聴器２００の電源をＯＮにする手間を省くことができる。
【０４３７】
〔実施形態７〕
本発明のさらに他の形態について図２９に基づいて説明すれば、以下のとおりである。なお、説明の便宜上、既に説明した図面と同じ機能を有する部材については、同じ符号を付記し、その説明を省略する。
【０４３８】
図２等を用いて示した電源連動システム１〜５では、補聴器２００に替えて、図２９に示す歩数計６００を採用することができる。歩数計６００は、利用者の歩数をカウントして表示するものである。また、歩数計６００は、歩数に基づいて熱量や消費エネルギーなどの身体活動量を算出して表示してもよい。
【０４３９】
図２９に示すように、歩数計６００は、近距離無線部６１０、電源制御部６１１、電池６１２、３Ｄセンサー６２１、ＡＤ変換部６２２、データ処理部６２３、表示用ドライバ６２４、および表示部６２５を備える構成である。
【０４４０】
また、電源制御部６１１と、３Ｄセンサー６２１、ＡＤ変換部６２２、データ処理部６２３、表示用ドライバ６２４、および表示部６２５のそれぞれとは、電源供給ラインＢにより接続されている。近距離無線部６１０と電源制御部６１１とは電源供給ラインＡにより接続されている。
【０４４１】
近距離無線部６１０、電源制御部６１１および電池６１２は、それぞれ、図２で示した近距離無線部２１０、電源制御部２１１および電池２１２と対応している。
【０４４２】
３Ｄセンサー６２１は、加速度を検知するためのものであり、例えば、３軸方向の加速度を検出可能なセンサーにより実現することができる。
【０４４３】
ＡＤ変換部６２２は、３Ｄセンサー６２１から出力される信号を増幅するためのものである。
【０４４４】
また、データ処理部６２３は、ＡＤ変換部６２２によって増幅された信号に基づいて、利用者の歩数を計上するものである。３Ｄセンサー６２１が検知した加速度から歩数を計上する手法については、公知のものを使用することができる。
【０４４５】
表示用ドライバ６２４は、表示部６２５を駆動させてデータ処理部６２３が計上した歩数データを表示させるものである。
【０４４６】
表示部６２５は、表示用ドライバ６２４の制御によってデータを表示させるためのものであり、例えば、液晶表示装置などが採用できる。
【０４４７】
（作用・効果）
歩数計６００を、電源連動システム１において採用すれば、携帯電話機１００が、手動により電源ＯＦＦとなっても、歩数計６００に電源ＯＦＦコマンドを送信しない。このため、病院など携帯電話機１００を電源ＯＦＦ状態にすることが要求される施設内で携帯電話機１００を手動により電源ＯＦＦにしても歩数計６００は電源ＯＮのまま、利用者の歩数・活動量測定を続行することができる。
【０４４８】
一方、携帯電話機１００が、タイマー設定により電源ＯＦＦとなった場合、歩数計６００に電源ＯＦＦコマンドを送信する。
【０４４９】
この場合、利用者の活動終了の時刻と考えて、歩数計６００を電源ＯＦＦとすることができ、歩数計６００の電源ＯＦＦ操作の手間を省くことができるとともに、利用者が使用しない間に歩数計６００において電池が浪費されることを防ぐことができる。
【０４５０】
歩数計６００を、電源連動システム３において採用すれば、照明機器３０１がタイマー設定により電源ＯＦＦになっても、歩数計６００に電源ＯＦＦコマンドを送信しない。
【０４５１】
一方、照明機器３０１が手動により電源ＯＦＦになった場合、歩数計６００に電源ＯＦＦコマンドを送信する。
【０４５２】
照明機器３０１がタイマー設定により電源ＯＦＦになっても、直ちに利用者が活動終了しない場合も考えられる。一方、照明機器３０１が手動により電源ＯＦＦになった場合、利用者の活動終了の意思表示と判断することができる。
【０４５３】
このため、照明機器３０１がタイマー設定により電源ＯＦＦになっても、直ちに利用者が活動終了しない場合において、利用者の意に反して歩数計６００が電源ＯＦＦになってしまうことを防ぐことができる。
【０４５４】
一方で、照明機器３０１が手動により電源ＯＦＦになった場合、わざわざ歩数計６００を電源ＯＦＦにする操作を行う手間を省くことができるとともに、歩数計６００が使用されない間、電池を浪費してしまうことを防ぐことができる。
【０４５５】
歩数計６００を、電源連動システム４において採用すれば、テレビ４０１が手動により電源ＯＮになっても、歩数計６００に電源ＯＮコマンドを送信しない。
【０４５６】
利用者は、スケジュールされていた時間までは、眠ったままであることが想定されるので、歩数計６００は、スケジュールされていた時間までは使用されないと考えられる。
【０４５７】
ここで、スケジュールされていた時間よりも早く、他人が手動でテレビ４０１を電源ＯＮにした場合でも、利用者は、スケジュールされていた時間までは、眠ったままであり、歩数計６００は、スケジュールされていた時間までは使われない。
【０４５８】
つまり、スケジュールされていた時間までに、歩数計６００を電源ＯＮ状態にしてしまうと、使用されないにもかかわらず電池を浪費してしまう。
【０４５９】
この構成によれば、スケジュールされていた時間よりも早く、他人が手動でテレビ４０１を電源ＯＮにした場合でも、歩数計６００は電源ＯＮ状態とならない。
【０４６０】
これにより、利用者が活動状態でないにもかかわらず歩数計６００を電源ＯＮにしてしまうことを防ぐことができ、電池が長持ちするという効果を奏する。
【０４６１】
歩数計６００を、電源連動システム５において採用すれば、エアコン５０１がタイマー設定により電源ＯＮになっても、歩数計６００に電源ＯＮコマンドを送信しない。
【０４６２】
その一方で、エアコン５０１が手動により電源ＯＮになった場合、エアコン５０１から歩数計６００に電源ＯＮコマンドが送信される。
【０４６３】
冬の寒い朝、起床前に部屋を暖める目的でエアコン５０１をタイマー設定により電源ＯＮにしても、利用者は、部屋が十分に暖まるまでは、眠ったままであることが想定される。従って、歩数計６００は、タイマー設定の時間になっても直ちに使用されるわけではない。つまり、タイマー設定の時間を、利用者の活動開始のときと判断するのは早すぎるのである。
【０４６４】
よって、この状態で、歩数計６００を電源ＯＮ状態にしてしまうと、使用されないにも関わらず電池を浪費してしまう。
【０４６５】
この構成によれば、タイマー設定の時間になりエアコン５０１が電源ＯＮ状態になっても、歩数計６００は電源ＯＮ状態とならない。
【０４６６】
よって、利用者が活動していないときに、歩数計６００を電源ＯＮ状態にしてしまい、電池を浪費することを防ぐことができる。
【０４６７】
その一方で、利用者が手動によりエアコン５０１が電源ＯＮ状態にする場合、この行為が、利用者の活動開始の意思表示と判断することができる。
【０４６８】
上記構成により、わざわざ利用者が歩数計６００を電源ＯＮ状態にする操作を行わなくても済む。
【０４６９】
〔実施形態８〕
本発明のさらに他の形態について図３０に基づいて説明すれば、以下のとおりである。なお、説明の便宜上、既に説明した図面と同じ機能を有する部材については、同じ符号を付記し、その説明を省略する。
【０４７０】
図９を用いて説明した電源連動システム２において、補聴器２００Ａに替えて、図３０に示す歩数計６００Ａを採用することも可能である。
【０４７１】
図３０に示す歩数計６００Ａは、近距離無線部６１０、電源制御部６１１、電池６１２、３Ｄセンサー６２１、ＡＤ変換部６２２、データ処理部６２３、表示用ドライバ６２４、表示部６２５、主制御部６３０、記憶部６５０およびタイマー部６４０を備える構成である。
【０４７２】
歩数計６００Ａと図２９に示した歩数計６００とを対比すれば次のとおりである。すなわち、歩数計６００Ａは、歩数計６００において、データ処理部６２３および近距離無線部６１０に替えて、それぞれ主制御部６３０および近距離無線部６１０Ａを設けて、さらに記憶部６５０およびタイマー部６４０を追加した構成となっている。
【０４７３】
また、主制御部６３０、近距離無線部６１０Ａ、記憶部６５０、およびタイマー部６４０は、それぞれ、図９に示した、主制御部２３０、近距離無線部２１０Ａ、記憶部２５０、およびタイマー部２４０に対応している。
【０４７４】
また、電源制御部６１１と、３Ｄセンサー６２１、ＡＤ変換部６２２、主制御部６３０、表示用ドライバ６２４、表示部６２５、タイマー部６４０および記憶部６５０のそれぞれとは、電源供給ラインＢにより接続されている。近距離無線部６１０およびタイマー部６４０のそれぞれと電源制御部６１１とは電源供給ラインＡにより接続されている。
【０４７５】
（作用・効果）
歩数計６００Ａを、電源連動システム２において採用すれば、携帯電話機１００Ａとの通信が切断された場合において、当該通信の切断が予定されていたものであれば、歩数計６００Ａは電源ＯＦＦ状態になる。
【０４７６】
一方、当該通信の切断が予定されたものでなければ歩数計６００Ａは、電源ＯＮ状態のままである。
【０４７７】
通信の切断が予定されていたものであれば、通信の切断は、携帯電話機１００Ａが、タイマー設定により電源ＯＦＦとなったと判断することができる。
【０４７８】
この場合、タイマー設定の時刻を、利用者の活動終了の時刻と考えて、歩数計６００Ａを電源ＯＦＦとすることができ、歩数計６００Ａの電源ＯＦＦ操作の手間を省くことができるとともに、利用者が使用しない間に歩数計６００Ａにおいて電池が浪費されることを防ぐことができる。
【０４７９】
一方、通信の切断が予定されたものでなければ、通信の切断は、携帯電話機１００Ａが、タイマー設定以外の理由により電源ＯＦＦとなったと判断することができる。
【０４８０】
つまり、病院など携帯電話機１００Ａを電源ＯＦＦ状態にすることが要求される施設内で携帯電話機１００Ａが手動により電源ＯＦＦとなったと判断することができる。このような場合でも、歩数計６００Ａは電源ＯＮのままであるので、利用者の歩数・活動量測定を続行することができる。
【０４８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０４８２】
最後に、携帯電話機１００、１００Ａ、補聴器２００、２００Ａ、照明機器３０１、テレビ４０１、エアコン４０１、歩数計６００、６００Ａの主制御部の各ブロックは、ハードウェアロジックによって構成してもよいし、次のようにＣＰＵを用いてソフトウェアによって実現してもよい。
【０４８３】
すなわち、携帯電話機１００、１００Ａ、補聴器２００、２００Ａ、照明機器３０１、テレビ４０１、エアコン４０１、歩数計６００、６００Ａは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１００、１００Ａ、補聴器２００、２００Ａ、照明機器３０１、テレビ４０１、エアコン４０１、歩数計６００、６００Ａの制御プログラムのプログラムコード（実行形式プログラム、中間コードプログラム、ソースプログラム）をコンピュータで読み取り可能に記録した記録媒体を、上記携帯電話機１００、１００Ａ、補聴器２００、２００Ａ、照明機器３０１、テレビ４０１、エアコン４０１、歩数計６００、６００Ａに供給し、そのコンピュータ（またはＣＰＵやＭＰＵ）が記録媒体に記録されているプログラムコードを読み出し実行することによっても、達成可能である。
【０４８４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０４８５】
また、携帯電話機１００、１００Ａ、補聴器２００、２００Ａ、照明機器３０１、テレビ４０１、エアコン４０１、歩数計６００、６００Ａを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０４８６】
本発明は、２つの電気機器の電源ＯＮ／ＯＦＦを連動する電源連動システムに利用することができる。
【符号の説明】
【０４８７】
Ａ、Ｂ  電源供給ライン
１〜５    電源連動システム
１０２、３０２、４０２、５０２    近距離無線部
１００、１００Ａ    携帯電話機（電気機器）
２００、２００Ａ    補聴器（対象機器）
１２１、３１１、４１１、５１１    キー
１２２、３１２、４１２、５１２    電源キー
１２３、３２３、４２３、５２３    タイマー部
１２４、３２４、４２４、５２４    電源制御部
１２５、４２５    電池
１３０、１３０Ａ、３３０、４３０、５３０    主制御部
１３１、３３１、４３１、５３１    イベント検知部（指示検知手段）
１３２、３３２、４３２、５３２    判定部
１３３、３３３、４３３、５３３    コマンド送信部（指示送信手段）
１３４、３３４、４３４、５３４    制御指示部
２１０、２１０Ａ、６１０Ａ    近距離無線部
２１１、６１１    電源制御部
２１２、６１２    電池
２２２    音声増幅部（聴覚補助部）
２２３    デジタル変換／イコライザ処理／信号処理部（聴覚補助部）
２２４    アナログ変換／可変増幅部（聴覚補助部）
２３０、６３０    主制御部
２３１    通信検知部（状況検知手段、動作判断手段）
２３２    判定部
２３４    制御指示部（供給制御手段）
２３６    消灯判断部（状況検知手段、動作判断手段）
２４０、６４０    タイマー部
２５０、６５０    記憶部
２６０    電源制御装置
３０１    照明機器（電気機器）
３１０    リモコン
３２５、５２５    電源回路
４０１    テレビ（電気機器）
４１０    リモコン
５０１    エアコン（電気機器）
５１０    リモコン
６００    歩数計
【図１】
2011259153.tif 000003
【図２】
2011259153.tif 000004
【図３】
2011259153.tif 000005
【図４】
2011259153.tif 000006
【図５】
2011259153.tif 000007
【図６】
2011259153.tif 000008
【図７】
2011259153.tif 000009
【図８】
2011259153.tif 000010
【図９】
2011259153.tif 000011
【図１０】
2011259153.tif 000012
【図１１】
2011259153.tif 000013
【図１２】
2011259153.tif 000014
【図１３】
2011259153.tif 000015
【図１４】
2011259153.tif 000016
【図１５】
2011259153.tif 000017
【図１６】
2011259153.tif 000018
【図１７】
2011259153.tif 000019
【図１８】
2011259153.tif 000020
【図１９】
2011259153.tif 000021
【図２０】
2011259153.tif 000022
【図２１】
2011259153.tif 000023
【図２２】
2011259153.tif 000024
【図２３】
2011259153.tif 000025
【図２４】
2011259153.tif 000026
【図２５】
2011259153.tif 000027
【図２６】
2011259153.tif 000028
【図２７】
2011259153.tif 000029
【図２８】
2011259153.tif 000030
【図２９】
2011259153.tif 000031
【図３０】
2011259153.tif 000032
【図３１】
2011259153.tif 000033